(57)【要約】リングバインダは、細長い本体およびリングを有する。各リングは、開位置と閉位置との間を可動なリング部材を含む。本体およびリングは、１つまたは複数の成形可能な高分子材料から作られる。バインダは、適切には、リング部材を閉位置に選択的かつ解除可能に保持するように作動可能である、保持システムを含む。リング部材および本体は、適切には、成形可能な高分子材料から、１ピースとして一緒に形成することができる。別法として、リング部材は、本体と別個に作り、リングバインダを形成するために、本体の中に噛み合わせることができる。
2013528129.tif 000002
【特許請求の範囲】
【請求項１】
ルーズリーフページを保持する際に使用するためのリングバインダであって、
細長い本体と、
ルーズリーフページを保持するためのリングであって、各リングは、前記細長い本体から延び、前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、
前記第１および第２のリング部材を前記閉位置に、選択的かつ解除可能に保持するように作動可能である保持システムであって、前記保持システムは、前記第１および第２のリング部材のそれぞれの端部に隣接する第１および第２のインターロック機構を含み、前記第１および第２のインターロック機構は、前記保持システムが前記第１および第２のリング部材を前記閉位置に保持する保持位置と、前記保持システムが前記第１および第２のリング部材を前記閉位置に保持しない非保持位置との間で、互いに対して選択的に可動であり、前記第１のリング部材の前記インターロック機構は、開放端部を有する少なくとも１つの突起を含み、前記突起の前記開放端部は、少なくとも１つの間隙を有し、前記インターロック機構が、前記非保持位置から前記保持位置に移動すると、前記第２のリングの前記インターロック機構によって弾性的に圧縮されるように適合される、保持システムと、を含むリングバインダ。
【請求項２】
前記間隙は、前記非保持位置内の第１の容積、および前記突起が前記第２のリング部材の前記インターロック機構によって圧迫される際に、前記第１の容積より小さい第２の容積を有する、請求項１に記載のリングバインダ。
【請求項３】
前記突起は、前記開放端部の反対側に取り付けられた端部を有し、前記間隙は、前記開放端部から、前記突起を通って前記突起の前記取り付けられた端部を超えて延びる、請求項１に記載のリングバインダ。
【請求項４】
前記突起内の前記間隙の一部は、前記突起が前記第２のリング部材の前記インターロック機構により圧縮される際に、より小さい容積を有する、請求項３に記載のリングバインダ。
【請求項５】
前記間隙は、前記第１のリング部材全体を通って延在する、請求項３に記載のリングバインダ。
【請求項６】
前記突起は、前記インターロック機構が前記保持位置内にある際、前記第２のリング部材の前記インターロック機構によって圧縮される、請求項１に記載のリングバインダ。
【請求項７】
前記間隙は、前記インターロック機構が前記保持位置内にある際、第３の容積を有し、前記第３の容積は前記第２の容積より大きい、請求項１に記載のリングバインダ。
【請求項８】
前記突起は、前記インターロック機構が前記保持位置内にある際、実質的に圧縮されない、請求項７に記載のリングバインダ。
【請求項９】
前記第２のインターロック機構は、前記突起の前記少なくとも一部を受け取るための開口を含む、請求項１に記載のリングバインダ。
【請求項１０】
前記開口は軸を有し、前記開口は、前記インターロック機構が前記非保持位置から前記保持位置に移動すると、前記軸に関して放射状に内方に前記第１のインターロック機構の前記少なくとも１つの突起を弾性的に圧縮するようにサイズ化される、請求項９に記載のリングバインダ。
【請求項１１】
前記少なくとも１つの突起は、前記細長い本体の軸方向に延びる、請求項９に記載のリングバインダ。
【請求項１２】
前記第１および第２のインターロック機構は、前記第２のロック機構に対して、前記細長い本体の軸方向に前記第１のロック機構を移動することにより、前記保持位置と前記非保持位置との間で可動である、請求項１に記載のリングバインダ。
【請求項１３】
前記突起は互いに離間した複数の指部を含み、前記間隙は前記指部の間に延在する、請求項１に記載のリングバインダ。
【請求項１４】
前記突起は４つの指部を有し、前記間隙は概ねプラス形状である、請求項９に記載のリングバインダ。
【請求項１５】
前記突起は前記突起の前記端部に延びる周壁を含み、前記間隙は前記壁によって包囲される、請求項１に記載のリングバインダ。
【請求項１６】
前記周壁は、前記リング部材が前記非保持位置にあるとき、前記突起の前記開放端部に向かって延びるので、外方に先細である、請求項１１に記載のリングバインダ。
【請求項１７】
前記第２のインターロック機構は、前記突起を受け取るための開口を含み、前記開口は、前記リング部材が前記非保持位置にある際に、まっすぐな側部を有する、請求項１２に記載のリングバインダ。
【請求項１８】
前記リングは、前記リングが前記リングのセグメントに沿って、前記第１のリング部材上の第１の位置から前記第２のリング部材上の第２の位置に延びる際に、実質的に一定の円形の断面形状を有し、前記第１および第２の位置は、前記インターロック機構の対向する側部上にある、請求項１に記載のリングバインダ。
【請求項１９】
前記リングおよび本体は、成形可能な高分子材料から作られた、１ピースの単一構造として一緒に形成される、請求項１に記載のリングバインダ。
【請求項２０】
前記１ピースの単一構造は、１つまたは複数のリング部材を前記本体に連結するリビングヒンジを含む、請求項１９に記載のリングバインダ。
【請求項２１】
前記１ピースの単一構造は、各リング部材に対してリビングヒンジを含み、前記リビングヒンジは、前記リング部材を前記本体に連結する、請求項１９に記載のリングバインダ。
【請求項２２】
カバーと組み合わせて、前記リングバインダは、前記カバー上に装着され、前記カバーは、前記リングバインダ上に保持されたルーズリーフページを、選択的に包含および露出するためにヒンジで動く、請求項１に記載のリングバインダ。
【請求項２３】
ルーズリーフページを保持する際に使用するためのリングバインダであって、
細長い本体と、
ルーズリーフページを保持するためのリングであって、各リングは、前記細長い本体から延び、前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、
前記第１および第２のリング部材を前記閉位置に、選択的かつ解除可能に保持するように作動可能である保持システムであって、前記保持システムは、前記第１および第２のリング部材のそれぞれの端部に隣接する第１および第２のインターロック機構を含み、前記第１および第２のインターロック機構は、前記保持システムが前記第１および第２のリング部材を前記閉位置に保持する保持位置と、前記保持システムが前記第１および第２のリング部材を前記閉位置に保持しない非保持位置との間で、互いに対して選択的に可動であり、前記第２の前記リング部材の前記インターロック機構は、軸を有する開口を含み、前記第１のインターロック機構は、前記インターロック機構が、前記非保持位置から前記保持位置に移動すると、前記第２のインターロック機構上の力を前記軸から複数の方向に放射状に外方に延びる前記開口で加えるように適合される、保持システムと、を含むリングバインダ。
【請求項２４】
前記第１のインターロック機構は、前記インターロック機構が、前記保持位置にあるときに、前記第２のインターロック機構上の力を、前記軸から複数の方向に放射状に外方に延びる前記開口で加えるように適合される、請求項２３に記載のリングバインダ。
【請求項２５】
前記第１および第２のインターロック機構は、前記第２のロック機構に対して、前記細長い本体の軸方向に前記第１のロック機構を移動することにより、前記保持位置と前記非保持位置との間で可動である、請求項２３に記載のリングバインダ。
【請求項２６】
少なくとも１つの前記リング部材は、比較的剛性であるセグメント、および前記比較的剛性であるセグメントを前記本体に連結する比較的可撓性であるセグメントを含む、請求項２３に記載のリングバインダ。
【請求項２７】
前記比較的可撓性であるセグメントは、リビングヒンジを含む、請求項２７に記載のリングバインダ。
【請求項２８】
前記リビングヒンジは、前記リングの第１および第２のリングの間の前記細長い本体の側部に沿って延び、前記第１のリングの１つのリング部材および前記第２のリングの１つのリング部材を枢動担持する、請求項２７に記載のリングバインダ。
【請求項２９】
前記リビングヒンジは、前記細長い本体の側部に沿って延び、前記リング部材の１つを前記リングのそれぞれから枢動担持する、請求項２７に記載のリングバインダ。
【請求項３０】
カバーと組み合わせて、前記リングバインダは、前記カバー上に装着され、前記カバーは、前記リングバインダ上に保持されたルーズリーフページを、選択的に包含および露出するためにヒンジで動く、請求項２３に記載のリングバインダ。
【請求項３１】
ルーズリーフページを保持する際に使用するためのリングバインダであって、前記リングバインダは、
細長い本体と、
ルーズリーフページを保持するためのリングであって、各リングは、前記細長い本体から延び前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、
前記第１および第２のリング部材を前記閉位置に、選択的かつ解除可能に保持するように作動可能である保持システムであって、前記保持システムは、前記第１および第２のリング部材のそれぞれの端部に隣接する第１および第２のインターロック機構を含み、前記第１および第２のインターロック機構は、前記保持システムが前記第１および第２のリング部材を前記閉位置に保持する保持位置と、前記保持システムが前記第１および第２のリング部材を前記閉位置に保持しない非保持位置との間で選択的に可動であり、前記第１のリング部材の前記インターロック機構は、比較的広い基部から比較的狭い開放端部に延びるポストを含み、第２のリング部材上の前記インターロック機構は、前記ポストを受け取るための開口を含む、保持システムと、を含み、
前記リングおよび前記本体は、成形可能な高分子材料から作られた、１ピースの単一構造として一緒に形成される、リングバインダ。
【請求項３２】
前記１ピースの単一構造は、少なくとも１つの前記リング部材を前記細長い本体に連結するリビングヒンジを含む、請求項３１に記載のリングバインダ。
【請求項３３】
前記第１および第２のインターロック機構は、前記第２のロック機構に対して、前記細長い本体の軸方向に前記第１のロック機構を移動することにより、前記保持位置と前記非保持位置との間で可動である、請求項３１に記載のリングバインダ。
【請求項３４】
前記ポストおよび前記開口は、それぞれ前記細長い本体の軸方向に延びる、請求項３１に記載のリングバインダ。
【請求項３５】
前記ポストは概ね円錐台形状である、請求項３１に記載のリングバインダ。
【請求項３６】
前記開口は、先細である、請求項３１に記載のリングバインダ。
【請求項３７】
前記ポストは、前記リングが前記保持位置にあるときに、前記開口内で受け取られ、前記リングは、前記リングが前記リングのセグメントに沿って、前記第１のリング部材上の第１の位置から前記第２のリング部材上の第２の位置に延びる前記保持位置にあるときに、実質的に一定の円形の断面形状を有し、前記第１および第２の位置は、前記インターロック機構の対向する側部上にある、請求項３１に記載のリングバインダ。
【請求項３８】
カバーと組み合わせて、前記リングバインダは、前記カバー上に装着され、前記カバーは、前記リングバインダ上に保持されたルーズリーフページを、選択的に包含および露出するためにヒンジで動く、請求項３１に記載のリングバインダ。
【請求項３９】
ルーズリーフページを保持する際に使用するためのリングバインダであって、前記リングバインダは、
細長い本体と、
ルーズリーフページを保持するためのリングであって、各リングは、前記細長い本体から延び前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、
前記第１および第２のリング部材を前記閉位置に、選択的かつ解除可能に保持するように作動可能である保持システムであって、前記保持システムは、前記第１および第２のリング部材のそれぞれの端部に隣接する第１および第２のインターロック機構を含み、前記第１および第２のインターロック機構は、前記保持システムが前記第１および第２のリング部材を前記閉位置に保持する保持位置と、前記保持システムが前記第１および第２のリング部材を前記閉位置に保持しない非保持位置との間で選択的に可動である、保持システムと、を含み、
前記リングおよび前記本体は、成形可能な高分子材料から作られた、１ピースの単一構造として一緒に形成され、前記１ピースの単一構造は、隣接する１つの前記リングの間の前記細長い本体の側部に沿って延在するリビングヒンジを含み、前記リビングヒンジは、前記リング部材が前記細長い本体に対して枢動するために、２つ以上のリング部材を担持する、リングバインダ。
【請求項４０】
前記第１および第２のインターロック機構は、前記第２のロック機構に対して、前記細長い本体の軸方向に前記第１のロック機構を移動することにより、前記保持位置と前記非保持位置との間で可動である、請求項３９に記載のリングバインダ。
【請求項４１】
前記リビングヒンジは、前記リング部材が前記本体に対して枢動するために、前記リング部材の１つを前記リングのそれぞれから枢動担持して延在する、請求項３９に記載のリングバインダ。
【請求項４２】
前記リビングヒンジは、前記細長い本体の全長に沿って延在する、請求項４１に記載のリングバインダ。
【請求項４３】
前記リビングヒンジは、第１のリビングヒンジであり、前記リングバインダは、前記リングの隣接する複数のリングの間で前記第１のリビングヒンジの反対側の前記細長い本体の側部に沿って延びる、第２のリビングヒンジを含み、前記第２のリビングヒンジは、前記リング部材が前記細長い本体に対して枢動するために、２つ以上のリング部材を担持する、請求項３９に記載のリングバインダ。
【請求項４４】
カバーと組み合わせて、前記リングバインダは、前記カバー上に装着され、前記カバーは、前記リングバインダ上に保持されたルーズリーフページを、選択的に包含および露出するためにヒンジで動く、請求項３９に記載のリングバインダ。
【請求項４５】
ルーズリーフページを保持するためのリング機構であって、前記リング機構は、
成形可能な高分子材料から作られた細長い本体と、
前記ルーズリーフページを保持するためのリングであって、各リングは、第１のリング部材および第２のリング部材を含み、前記第１のリング部材は、前記筐体および前記第２のリング部材に対して閉位置と開位置との間で可動であり、前記閉位置では、前記第１および第２のリング部材は、前記リングによって保持されたルーズリーフページを、前記リングに沿って一方のリング部材から他方に動かすことができるために、実質的に連続した閉ループを形成し、前記開位置では、前記第１および第２のリング部材は、ルーズリーフページを前記リングに追加または前記リングから取り外すために、不連続の開ループを形成する、リングと、を含み、
各リングに対して少なくとも１つのリング部材は、個別に形成されたリング部材であり、リング部分および前記リング部分に連結されたアンカーを含み、前記少なくとも一方の個別に形成されたリング部材は、前記本体から分離して形成され、かつ他のリング部材から分離して形成され、前記少なくとも１つの個別に形成されたリング部材の前記アンカーは、前記本体に対して枢動するために前記本体に固定される、リング機構。
【請求項４６】
前記少なくとも１つのリング部材に対する前記リング部分およびアンカーは、成形可能な高分子材料から１ピースとして一緒に形成される、請求項４５に記載のリング機構。
【請求項４７】
前記少なくとも個別に形成されたリング部材は、前記他のリング部材のそれぞれから独立して動くために、前記本体に固定される、請求項４５に記載のリング機構。
【請求項４８】
前記少なくとも１つのリング部材の前記アンカーは、細長い棒材が前記本体の長軸に概して平行であるように、前記本体に固定された前記棒材を含む、請求項４５に記載のリング機構。
【請求項４９】
前記細長い棒材は、概ね円筒形である、請求項４８に記載のリング機構。
【請求項５０】
前記本体は、頂部、前記頂部から下に延びる側部、および前記頂部から延びる複数のリブを有し、前記側部およびリブは、前記アンカーに対して受容体を画定する、請求項４８に記載のリング機構。
【請求項５１】
前記本体は、前記少なくとも１つのリング部材の一部を切欠内に受け取るために、前記切欠を１つの前記側部内に有する、請求項５０に記載のリング機構。
【請求項５２】
前記本体は、前記側部内に配置された追加の切欠を有するので、前記少なくとも１つのリング部材の前記アンカーに１対のさらなる切欠が存在し、各対における前記切欠は、前記リング部材を受け取るために、前記対応する切欠の対向する長軸側部上にあり、前記アンカーの対向する長軸端部に隣接して配置される、請求項５１に記載のリング機構。
【請求項５３】
前記本体は、前記受容体の中に横方向に延びる保持具、および前記保持具の前記上部表面から前記本体の前記上部表面に延びる開口を含む、請求項５０に記載のリング機構。
【請求項５４】
前記少なくとも１つのリング部材は、前記他のリング部材のそれぞれから独立して動かすために、前記本体に固定される、請求項４５に記載のリング機構。
【請求項５５】
前記リングを前記閉位置に選択的かつ解除可能に保持するように作動可能である、保持システムをさらに含む、請求項５４に記載のリング機構。
【請求項５６】
前記保持システムは、前記第１および第２のリング部材の前記端部に隣接するインターロック機構を含む、請求項５５に記載のリング機構。
【請求項５７】
前記第１のリング部材の前記インターロック機構は、ポストを含み、前記第２のリング部材上の前記インターロック機構は、開口を含み、前記ポストおよび開口は、それぞれ前記本体の軸方向に延びる、請求項５６に記載のリング機構。
【請求項５８】
前記ポストは、前記リングが前記閉位置にあるときは、前記開口内で受け取られ、前記リングは、前記リングが前記リングのセグメントに沿って前記第１のリング部材上の第１の位置から、前記第２のリング部材上の第２の位置に延びて前記閉位置にあるときは、実質的に一定の円形の断面形状を有し、前記第１および第２の位置は、前記インターロック機構の対向する側部上にある、請求項５７に記載のリング機構。
【請求項５９】
各リングは、１対の個別に形成されたリング部材を含む、請求項４５に記載のリング機構。
【請求項６０】
カバーと組み合わせて、前記本体は、前記カバーに固定される、請求項４５に記載のリング機構。
【請求項６１】
ルーズリーフページを保持する際に使用するためのリングバインダであって、前記リングバインダは、
細長い本体と、
ルーズリーフページを保持するためのリングであって、各リングは、前記細長い本体から延び前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、
前記第１および第２のリング部材を前記閉位置に、選択的かつ解除可能に保持するように作動可能である保持システムと、を含み、
前記リングおよび本体は、成形可能な高分子材料から作られた、１ピースの単一構造として一緒に形成され、各リングの前記第１のリング部材は、前記本体に対して実質的に固定され、前記本体の頂部から概して上に延び、各リングの前記第２のリング部材は、前記第２のリング部材が、前記開位置と閉位置との間で前記本体に対して枢動するために、リビングヒンジにより前記本体の側部に固定される、リングバインダ。
【請求項６２】
ルーズリーフページを保持する際に使用するためのリングバインダであって、前記リングバインダは、
細長い本体と、
ルーズリーフページを保持するためのリングであって、各リングは、前記細長い本体から延び前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、
前記第１および第２のリング部材を前記閉位置に、選択的かつ解除可能に保持するように作動可能である保持システムと、を含み、
前記リングおよび本体は、成形可能な高分子材料から作られた、１ピースの単一構造として一緒に形成され、前記第１および第２のリング部材は、前記開位置で非変形状態であり、前記第１および第２のリング部材を弾性的に変形することにより、前記開位置から前記閉位置に可動であり、前記第１および第２のリング部材は、前記第１および第２のリング部材が前記閉位置にあるときは、前記開位置に向かって移動させる内弾性復元力によって付勢され、前記第１および第２のリング部材は、前記非変形位置で少なくとも約７５度の角度で交差する直線突起の端部を有する、リングバインダ。
【請求項６３】
前記リング部材の前記端部は、前記非変形位置に互いから約１０ｍｍ〜約４５ｍｍの距離で離間する、請求項６２に記載のリングバインダ。
【請求項６４】
前記リング部材のそれぞれは、大部分のそれらの長さに沿って実質的に円形の断面形状を有する、請求項６２に記載のリングバインダ。
【請求項６５】
少なくとも１つの前記リング部材は、比較的剛性であるセグメント、および前記比較的剛性であるセグメントを前記本体に連結する比較的可撓性であるセグメントを含む、請求項６２に記載のリングバインダ。
【請求項６６】
前記比較的可撓性であるセグメントにおいて前記リング部材内に少なくとも１つの弓状切欠が存在する、請求項６５に記載のリングバインダ。
【請求項６７】
前記少なくとも１つの弓状切欠は、前記比較的可撓性であるセグメントの下部表面内にある、請求項６６に記載のリングバインダ。
【請求項６８】
前記少なくとも１つの弓状切欠と反対側の前記比較的可撓性であるセグメントの上部表面内に別の弓状切欠が存在する、請求項６７に記載のリングバインダ。
【請求項６９】
前記比較的可撓性であるセグメントは、リビングヒンジを含む、請求項６６に記載のリングバインダ。
【請求項７０】
前記保持システムは、前記第１および第２のリング部材の前記端部に隣接するインターロック機構を含む、請求項６２に記載のリングバインダ。
【請求項７１】
前記第１および第２のリング部材の前記インターロック機構は、ポストを含み、前記第２のリング部材上の前記インターロック機構は、開口を含み、前記ポストおよび開口は、それぞれ前記本体の軸方向に延びる、請求項７０に記載のリングバインダ。
【請求項７２】
前記ポストは、前記リングが前記閉位置にあるときに前記開口内で受け取られ、前記リングは、前記リングが前記リングのセグメントに沿って、前記第１のリング部材上の第１の位置から前記第２のリング部材上の第２の位置に延びる前記閉位置にあるときに、実質的に円形の断面形状を有し、前記第１および第２の位置は、前記インターロック機構の対向する側部上にある、請求項７１に記載のリングバインダ。
【請求項７３】
前記本体は、前記リングが前記開位置にあるときは、非変形状態にある、請求項６２に記載のリングバインダ。
【請求項７４】
ルーズリーフページを保持する際に使用するためのリングバインダであって、
長軸を有する細長い本体と、
ルーズリーフページを保持するためのリングであって、各リングは、前記細長い本体から延び前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、
前記第１および第２のリング部材を前記閉位置に、選択的かつ解除可能に保持するように作動可能である保持システムであって、前記保持システムは、前記第１および第２のリング部材のそれぞれの端部に隣接する第１および第２のインターロック機構を含み、前記第１および第２のインターロック機構は、前記保持システムが前記第１および第２のリング部材を前記閉位置に保持する保持位置と、前記保持システムが前記第１および第２のリング部材を前記閉位置に保持しない非保持位置との間で、前記第１のインターロック機構を前記第２のロック機構に対して前記本体の軸方向に動かすことにより、選択的に可動である、保持システムと、を含む、リングバインダ。
【請求項７５】
前記第１のリング部材の前記インターロック機構は、ポストを含み、前記第２のリング部材上の前記インターロック機構は、開口を含み、前記ポストおよび開口は、それぞれ前記本体の軸方向に延びる、請求項７４に記載のリングバインダ。
【請求項７６】
前記ポストは、前記リングが前記閉位置にあるときに前記開口内で受け取られ、前記リングは、前記リングが前記リングのセグメントに沿って、前記第１のリング部材上の第１の位置から前記第２のリング部材上の第２の位置に延びる前記閉位置にあるときに、実質的に円形の断面形状を有し、前記第１および第２の位置は、前記インターロック機構の対向する側部上にある、請求項７５に記載のリングバインダ。
【請求項７７】
前記第１のリング部材は変形可能であり、前記第２のリング部材は、前記本体に実質的に固定される、請求項７４に記載のリングバインダ。
【請求項７８】
前記第２のリング部材は、前記本体から上に延びる実質的にまっすぐなロッドを含む、請求項７７に記載のリングバインダ。
【請求項７９】
前記リングおよび本体は、成形可能な高分子材料から作られた、１ピースの単一構造として一緒に形成される、請求項７４に記載のリングバインダ機構。
【請求項８０】
前記第１および第２のリング部材は、前記開位置で非変形状態であり、少なくとも１つの前記第１および第２のリング部材を弾性的に変形することにより、前記開位置から前記閉位置に可動であり、前記少なくとも１つの前記第１および第２のリング部材は、前記閉位置にあるときに、前記開位置に向かって移動するために、内弾性復元力によって付勢される、請求項７９に記載のリングバインダ機構。
【請求項８１】
ルーズリーフページを保持する際に使用するためのリングバインダであって、前記リングバインダは、
細長い本体と、
ルーズリーフページを保持するためのリングであって、各リングは、前記細長い本体から延び前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、
前記第１および第２のリング部材を前記閉位置に、選択的かつ解除可能に保持するように作動可能である保持システムと、を含み、
前記リングおよび本体は、成形可能な高分子材料から作られた、１ピースの単一構造として一緒に形成され、前記第１および第２のリング部材は、前記開位置で非変形状態であり、前記第１および第２のリング部材を弾性的に変形することにより、前記開位置から前記閉位置に可動であり、前記第１および第２のリング部材は、互いから約１０ｍｍ〜約４５ｍｍの範囲の距離で離間する、前記開位置内の開放端部を有する、リングバインダ。
【請求項８２】
ルーズリーフページを保持する際に使用するためのリングバインダであって、前記リングバインダは、
細長い本体と、
ルーズリーフページを保持するためのリングであって、各リングは、前記細長い本体から延び前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、を含み
前記リングおよび本体は、成形可能な高分子材料から作られた、１ピースの単一構造として一緒に形成され、前記第１および第２のリング部材のそれぞれの少なくとも一部は、実質的に円形の断面形状を有し、前記第１および第２のリング部材は、前記第１および第２のリング部材の少なくとも１つを弾性的に変形することにより、前記開位置から前記閉位置に可動である、リングバインダ。
【請求項８３】
ルーズリーフページを保持する際に使用するためのリングバインダであって、前記リングバインダは、
細長い本体と、
ルーズリーフページを保持するためのリングであって、各リングは、前記細長い本体から延び前記本体によって担持される、第１および第２のリング部材を含み、前記第１および第２のリング部材は、前記第１および第２のリング部材が、前記リングによって保持されたルーズリーフページを、前記リングに沿って一方のリング部材から他方に動かすことができるために、実質的に連続した閉ループを一緒に形成する閉位置と、前記第１および第２のリング部材が、ルーズリーフページを前記リングに追加または前記リングから取り外すために、不連続の開ループを形成する開位置との間を、互いに対して可動である、リングと、
基板に固定されるように適合された取付板であって、前記本体は、前記取付板にヒンジで結合されているので、前記本体は、前記取付板が前記基板に固定されている際は、前記基板に対して枢動可能である、取付板と、を含み、
前記リング、本体、および取付板は、成形可能な高分子材料から作られた、１ピースの単一構造として一緒に形成される、リングバインダ。
【発明の詳細な説明】
【技術分野】
【０００１】
本発明は、一般に、ルーズリーフページを保持するためのリングバインダ機構に関し、より詳細には、成形可能な高分子材料から作られるリングバインダ機構に関する。
【背景技術】
【０００２】
ルーズリーフページを選択的に保持するためのリングを有するリングバインダ機構は、周知である。これらの機構は、一般にノートブックカバー、ファイル、クリップボードなどの他の構造に締結されることにより、これらの構造がルーズリーフページを保持できる。多くの従来のリングバインダ機構は、ルーズリーフページを追加および／または取り外すための開位置と、ルーズリーフページを保持するための閉位置との間を可動なリングセグメントを担持する、枢動するヒンジ板を含む金属筐体を有する。これらの金属リング機構は、多くの目的に適切であるが、これらを製造することは、完成したリング機構を生成するために、複合成分の比較的複雑な組立体を必要とする可能性がある。従来の金属リング機構の生産に（たとえば、耐食ニッケルめっきを金属筐体に付着させるために）一般に使用される化学物質の一部も、扱いが困難であり、適切な予防措置が、人々および環境をこれらの化学物質から保護するために必要とされる。
【発明の概要】
【０００３】
本発明の一態様は、ルーズリーフページを保持する際に使用するためのリングバインダである。リングバインダは、細長い本体、およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングバインダは、第１および第２のリング部材を閉位置に、選択的かつ解除可能に保持するように作動可能である、保持システムを有する。リングおよび本体は、成形可能な高分子材料から作られた、１ピースの単一構造として一緒に形成される。第１および第２のリング部材は、開位置で非変形状態であり、第１および第２のリング部材を弾性的に変形することにより、開位置から閉位置に可動である。第１および第２のリング部材は、第１および第２のリング部材が閉位置にあるときに、開位置に向かって移動させる内弾性復元力によって付勢される。第１および第２のリング部材の端部の直線突起は、非変形位置で少なくとも約７５度の角度で交差する。
【０００４】
本発明の別の態様は、ルーズリーフページを保持する際に使用するためのリングバインダである。リングバインダは、長軸を有する細長い本体、およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングバインダは、第１および第２のリング部材を閉位置に、選択的かつ解除可能に保持するように作動可能である、保持システムを有する。第１および第２のインターロック機構を含む保持システムは、第１および第２のリング部材のそれぞれの端部に隣接する。第１および第２のインターロック機構は、保持システムが第１および第２のリング部材を閉位置に保持する保持位置と、保持システムが第１および第２のリング部材を閉位置に保持しない非保持位置との間で、第２のロック機構に対して、本体の第１のロック機構を軸方向に移動することによって、選択的に可動である。
【０００５】
本発明のさらに別の態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングバインダは、第１および第２のリング部材を閉位置に、選択的かつ解除可能に保持するように作動可能である、保持システムを有する。リングおよび本体は、成形可能な高分子材料から作られた、１ピースの単一構造として一緒に形成される。第１および第２のリング部材は、開位置で非変形状態であり、第１および第２のリング部材を弾性的に変形することにより、開位置から閉位置に可動である。開位置に開放端部を有する第１および第２のリング部材は、約１０ｍｍ〜約４５ｍｍの範囲の距離で互いに離間する。
【０００６】
本発明の別の態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングおよび本体は、成形可能な高分子材料から作られた、１ピースの単一構造として一緒に形成される。第１および第２のリング部材のそれぞれの少なくとも一部は、実質的に円形の断面形状を有する。第１および第２のリング部材は、第１および第２のリング部材の少なくとも１つを弾性的に変形することにより、開位置から閉位置に可動である。
【０００７】
別の観点から言えば、本発明は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングバインダは、基板に固定されるように適合された取付板を有する。本体は、取付板にヒンジで結合されるので、本体は、取付板が基板に固定されている際は、基板に対して枢動可能である。リング、本体、および取付板は、成形可能な高分子材料から作られた、１ピースの単一構造として一緒に形成される。
【０００８】
本発明の一態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングバインダは、第１および第２のリング部材を閉位置に、選択的かつ解除可能に保持するように作動可能である、保持システムを有する。リングおよび本体は、成形可能な高分子材料から作られた、１ピースの単一構造として一緒に形成される。第１および第２のリング部材は、開位置で非変形状態であり、第１および第２のリング部材を弾性的に変形することにより、開位置から閉位置に可動である。第１および第２のリング部材は、第１および第２のリング部材が閉位置にあるときに、開位置に向かって移動させる内弾性復元力によって付勢される。第１および第２のリング部材の端部の直線突起は、非変形位置で少なくとも約７５度の角度で交差する。
【０００９】
本発明の別の態様は、ルーズリーフページを保持する際に使用するためのリングバインダである。リングバインダは、長軸を有する細長い本体、およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングバインダは、第１および第２のリング部材を閉位置に、選択的かつ解除可能に保持するように作動可能である、保持システムを有する。第１および第２のインターロック機構を含む保持システムは、第１および第２のリング部材のそれぞれの端部に隣接する。第１および第２のインターロック機構は、保持システムが第１および第２のリング部材を閉位置に保持する保持位置と、保持システムが第１および第２のリング部材を閉位置に保持しない非保持位置との間で、本体の第１のロック機構を、第２のロック機構に対して軸方向に移動することによって、選択的に可動である。
【００１０】
本発明のさらに別の態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングバインダは、第１および第２のリング部材を閉位置に、選択的かつ解除可能に保持するように作動可能である、保持システムを有する。リングおよび本体は、成形可能な高分子材料から作られた、１ピースの単一構造として一緒に形成される。第１および第２のリング部材は、開位置で非変形状態であり、第１および第２のリング部材を弾性的に変形することにより、開位置から閉位置に可動である。開位置に開放端部を有する第１および第２のリング部材は、約１０ｍｍ〜約４５ｍｍの範囲の距離で互いに離間する。
【００１１】
本発明の別の態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングおよび本体は、成形可能な高分子材料から作られた、１ピースの単一構造として一緒に形成される。第１および第２のリング部材のそれぞれの少なくとも一部は、実質的に円形の断面形状を有する。第１および第２のリング部材は、第１および第２のリング部材の少なくとも１つを弾性的に変形することにより、開位置から閉位置に可動である。
【００１２】
別の観点から言えば、本発明は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。リングバインダは、基板に固定されるように適合された取付板を有する。本体は、取付板にヒンジで結合されているので、本体は、取付板が基板に固定されている際は、基板に対して枢動可能である。リング、本体、および取付板は、成形可能な高分子材料から作られた、１ピースの単一構造として一緒に形成される。
【００１３】
本発明の別の態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。保持システムは、第１および第２のリング部材を閉位置に、選択的かつ解除可能に保持するように作動可能である。保持システムは、第１および第２のリング部材のそれぞれの端部に隣接する、第１および第２のインターロック機構を有する。第１および第２のインターロック機構は、保持システムが第１および第２のリング部材を閉位置に保持する保持位置と、保持システムが第１および第２のリング部材を閉位置に保持しない非保持位置との間で、互いに対して、選択的に可動である。第１のリング部材のインターロック機構は、開放端部を有する少なくとも１つの突起を含む。突起の開放端部は、少なくとも１つの間隙を有し、インターロック機構が、非保持位置から保持位置に移動すると、第２のリングのインターロック機構によって弾性的に圧縮されるように適合される。
【００１４】
本発明のさらに別の態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。保持システムは、第１および第２のリング部材を閉位置に、選択的かつ解除可能に保持するように作動可能である。保持システムは、第１および第２のリング部材のそれぞれの端部に隣接する、第１および第２のインターロック機構を有する。第１および第２のインターロック機構は、保持システムが第１および第２のリング部材を閉位置に保持する保持位置と、保持システムが第１および第２のリング部材を閉位置に保持しない非保持位置との間で、互いに対して、選択的に可動である。第２のリング部材のインターロック機構は、軸を有する開口を含む。第１のインターロック機構は、インターロック機構が非保持位置から保持位置に移動すると、第２のインターロック機構上の力を、軸から多方向に放射状に外側に向かって延びる開口で加えるように適合される。
【００１５】
本発明の別の態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。保持システムは、第１および第２のリング部材を閉位置に、選択的かつ解除可能に保持するように作動可能である。保持システムは、第１および第２のリング部材のそれぞれの端部に隣接する、第１および第２のインターロック機構を有する。第１および第２のインターロック機構は、保持システムが第１および第２のリング部材を閉位置に保持する保持位置と、保持システムが第１および第２のリング部材を閉位置に保持しない非保持位置との間で、選択的に可動である。第１のリング部材のインターロック機構は、比較的広い基部から比較的狭い開放端部に延びるポストを含み、第２のリング部材のインターロック機構は、ポストを受け取るための開口を含む。リングおよび本体は、成形可能な高分子材料から作られた、１ピースの単一構造として一緒に形成される。
【００１６】
本発明のさらに別の態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。保持システムは、第１および第２のリング部材を閉位置に、選択的かつ解除可能に保持するように作動可能である。保持システムは、第１および第２のリング部材のそれぞれの端部に隣接する、第１および第２のインターロック機構を有する。第１および第２のインターロック機構は、保持システムが第１および第２のリング部材を閉位置に保持する保持位置と、保持システムが第１および第２のリング部材を閉位置に保持しない非保持位置との間で、選択的に可動である。リングおよび本体は、成形可能な高分子材料から作られた、１ピースの単一構造として一緒に形成される。１ピースの単一構造は、隣接する１つのリングの間で細長い本体の側部に沿って延びるリビングヒンジを含む。リビングヒンジは、リング部材が細長い本体に対して枢動するために、２つ以上のリング部材を担持する。
【００１７】
別の観点から言えば、本発明は、ルーズリーフページを保持するためのリング機構を含む。機構は、成形可能な高分子材料から作られる細長い本体、およびルーズリーフページを保持するためのリングを有する。各リングは、第１のリング部材および第２のリング部材を含む。第１のリング部材は、筐体および閉位置と開位置との間で第２のリング部材に対して可動である。閉位置では、第１および第２のリング部材は、リングによって保持されたルーズリーフページが、リングに沿って一方のリング部材から他方に動くことができるために、実質的に連続した閉ループを形成する。開位置では、第１および第２のリング部材は、ルーズリーフページをリングに追加またはリングから取り外すために、不連続の開ループを形成する。各リング部材は、リング位置およびリング位置に連結されたアンカーを有する。各リング部材は、その他のリング部材と個別に形成される。アンカーは、本体に対して枢動するために本体に固定される。
【００１８】
本発明のさらに別の態様は、ルーズリーフページを保持する際に使用するためのリングバインダである。リングバインダは、細長い本体およびルーズリーフページを保持するためのリングを有する。各リングは、細長い本体から延び、細長い本体によって担持される、第１および第２のリング部材を含む。第１および第２のリング部材は、第１および第２のリング部材が、リングによって保持されたルーズリーフページをリングに沿って一方のリング部材から他方に動かすことができるために、実質的に連続した閉ループを一緒に形成する閉位置と、第１および第２のリング部材が、ルーズリーフページをリングに追加またはリングから取り外すために、不連続の開ループを形成する開位置との間を、互いに対して可動である。保持システムは、第１および第２のリング部材を閉位置に、選択的かつ解除可能に保持するように作動可能である。リングおよび本体は、成形可能な高分子材料から作られた、１ピースの単一構造として一緒に形成される。各リングの第１のリング部材は、本体に対して実質的に固定され、概して本体の頂部から上に延びる。各リングの第２のリング部材は、第２のリング部材が開位置と閉位置との間で本体に対して枢動するために、リビングヒンジによって本体の側部に固定される。
【００１９】
他の目的および特徴は、一部は明白になり、一部は以下で指摘される。
【図面の簡単な説明】
【００２０】
【図１】本発明のリングバインダの一実施形態の斜視図である。
【図１Ａ】図１に示されたバインダのリング機構の拡大斜視図である。
【図２】リング機構の底部がよく見える点からの、図１に示されたリングバインダからのリング機構の別の斜視図である。
【図３】リング機構の平面図である。
【図４】リング機構の側部立面図である。
【図５】リング機構の前端部立面図である。
【図５Ａ】リング部材の断面形状を示す、図５の５Ａ−５Ａ線を含む平面に取られた、リング機構のリング部材の１つの断面図である。
【図５Ｂ】リングが閉じている際の、リング部材の端部の断面形状を示す、図５の５Ｂ−５Ｂ線を含む平面に取られた、リング機構のリングの１つの断面図である。
【図６】リング機構の背端部立面図である。
【図６Ａ】図６と同様のリング機構の背端部立面図であるが、リング機構の本体に隣接するリング部材の代替構造の一実施形態を示す図である。
【図７】リングが開いていることを除いて、図１と同様のリング機構の斜視図である。
【図８】リングが開いていることを除いて、図５と同様のリング機構の前端部立面図である。
【図９Ａ】リング機構のリングが閉じており、次いで開いている、一連を示す図である。
【図９Ｂ】リング機構のリングが閉じており、次いで開いている、一連を示す図である。
【図９Ｃ】リング機構のリングが閉じており、次いで開いている、一連を示す図である。
【図９Ｄ】リング機構のリングが閉じており、次いで開いている、一連を示す図である。
【図１０】閉じたリングおよびリングによって保持された大量のルーズリーフページを伴う、図５および７と同様のリング機構の前端部立面図である。
【図１１】リング機構の第２の実施形態の斜視図である。
【図１２】リング機構の底部がよく見える点からの、図１１のリング機構の別の斜視図である。
【図１３】図１１および１２に示されたリング機構の側部立面図である。
【図１４】リングが閉位置にある、図１１〜１３に示されたリング機構の前端部立面図である。
【図１５】リングが開位置にある、図１１〜１４に示されたリング機構の前端部立面図である。
【図１６】リングバインダ機構の第３の実施形態の斜視図である。
【図１７】図１６に示された位置から反転された、図１６のリングバインダ機構の別の斜視図である。
【図１８】図１６および１７に示されたリングバインダ機構の前端部立面図である。
【図１９】図１６〜１８に示されたリングバインダ機構の平面図である。
【図２０】図１６〜１９に示されたリングバインダ機構の側部立面図である。
【図２１】図１６と同様だが、リングが開位置にあるリングバインダ機構の斜視図である。
【図２２】ノートブックカバー上に装着され、様々な位置にルーズリーフページを保持する、図１６〜２１に示されたリングバインダ機構の斜視図である。
【図２３】ノートブックカバー上に装着され、様々な位置にルーズリーフページを保持する、図１６〜２１に示されたリングバインダ機構の斜視図である。
【図２４】様々な異なる位置でルーズリーフページを担持する、図２２および２３に示されたリングバインダ機構およびノートブックカバーを示す前部立面図である。
【図２５】様々な異なる位置でルーズリーフページを担持する、図２２および２３に示されたリングバインダ機構およびノートブックカバーを示す前部立面図である。
【図２６】様々な異なる位置でルーズリーフページを担持する、図２２および２３に示されたリングバインダ機構およびノートブックカバーを示す前部立面図である。
【図２７】様々な異なる位置でルーズリーフページを担持する、図２２および２３に示されたリングバインダ機構およびノートブックカバーを示す前部立面図である。
【図２８】ノートブックカバー上に装着され、ルーズリーフページを保持する、本発明のリングバインダ機構の第４の実施形態の斜視図である。
【図２９】リング機構の底部がよく見える点からの、図２８に示されたリングバインダ機構の別の斜視図である。
【図３０】図２９に示されたリングバインダ機構の前端部立面図である。
【図３１】図２９および３０に示されたリングバインダ機構の側部立面図である。
【図３２】図２９〜３１に示されたリングバインダ機構の平面図である。
【図３３】図２９と同様だが、リングが開位置にあり、機構がノートブックカバーから分離している、リングバインダ機構の斜視図である。
【図３４】リングバインダ機構の第５の実施形態の斜視図である。
【図３５】リングバインダ機構の底部がよく見える点からの、図３４に示された該機構の斜視図である。
【図３６】図３４および３５に示された機構の平面図である。
【図３７】リングが開位置にあることを示す、図３４〜３６に示された機構の斜視図である。
【図３８】リング機構の端部上のインターロック機構を示す、図３７に示された機構の一部の拡大斜視図である。
【図３９】リングの１つが閉位置にあり、他のリングが開位置にある、図３４〜３８に示されたリング機構の斜視図である。
【図４０】図３６上の４０−４０線および４１−４１線のそれぞれを含む図に取り込まれ、リビングヒンジを示す、図３４〜３９に示されたリング機構の断面図である。
【図４１】図３６上の４０−４０線および４１−４１線のそれぞれを含む図に取り込まれ、リビングヒンジを示す、図３４〜３９に示されたリング機構の断面図である。
【図４２】図３７上の４２−４２線を含む図に取り込まれ、リングが開位置にある際のリビングヒンジを示す、図３４〜４１に示されたリング機構の断面図である。
【図４３Ａ】図３４〜４２に示されたリング機構のリング部材の端部上のインターロック機構の拡大断面図であり、リングが閉位置と開位置との間を移動する一連を示す図である。
【図４３Ｂ】図３４〜４２に示されたリング機構のリング部材の端部上のインターロック機構の拡大断面図であり、リングが閉位置と開位置との間を移動する一連を示す図である。
【図４３Ｃ】図３４〜４２に示されたリング機構のリング部材の端部上のインターロック機構の拡大断面図であり、リングが閉位置と開位置との間を移動する一連を示す図である。
【図４４】リング機構の第６の実施形態のリング部材の端部上のインターロック機構の斜視図である。
【図４５】図４４に示されたリング機構の側部立面図である。
【図４６Ａ】図４４および４５に示された機構の保持システムが、保持位置に移動する一連を示す図である。
【図４６Ｂ】図４４および４５に示された機構の保持システムが、保持位置に移動する一連を示す図である。
【図４７】リング機構の第７の実施形態のリング部材の端部上のインターロック機構の斜視図である。
【図４８】図４７に示されたリング機構の側部立面図である。
【図４９Ａ】図４７および４８に示された機構の保持システムが、保持位置に移動する一連を示す図である。
【図４９Ｂ】図４７および４８に示された機構の保持システムが、保持位置に移動する一連を示す図である。
【図５０】リング機構の第８の実施形態のリング部材の端部上のインターロック機構の斜視図である。
【図５１】図４４に示されたリング機構の側部立面図である。
【図５２Ａ】図４４および４５に示された機構の保持システムが、保持位置に移動する一連を示す図である。
【図５２Ｂ】図４４および４５に示された機構の保持システムが、保持位置に移動する一連を示す図である。
【図５３】リング機構の第９の実施形態の斜視図である。
【図５４】図５３に示されたリング機構の側部立面図である。
【図５５】リングが開位置にあることを示す、図５３および５４に示されたリング機構の斜視図である。
【図５６】リングが開位置にあることを示す、図５３〜５５に示されたリング機構の側部立面図である。
【図５７】図５５の５７−５７線を含む平面に取られた、図５３〜５６に示されたリング機構の断面図である。
【図５８】リング機構の第１０の実施形態の斜視図である。
【図５９】機構の底部がよく見える点からの、図５８に示されたリング機構の別の斜視図である。
【図６０】図５８および５９に示されたリング機構の平面図である。
【図６１】リングが開位置にあることを示す、図５８〜６０に示されたリング機構の斜視図である。
【図６２】図６１の６２−６２線を含む平面に取られた、図５８〜６１に示されたリング機構の断面図である。
【図６３】リングの１つが閉位置にあるが、他のリングが開位置にある、図５８〜６２に示されたリング機構の斜視図である。
【図６４】リング機構の第１１の実施形態の斜視図である。
【図６５】リング機構の底部がよく見える点からの、図６４に示されたリング機構の別の斜視図である。
【図６６】図６４および６５に示されたリング機構の底部の位置の拡大部分図である。
【図６７】図６４〜６６に示されたリング機構の平面図である。
【図６８】図６４〜６７に示されたリング機構の側部立面図である。
【図６９】図６７の６９−６９線を含む平面に取られた、図６４〜６８に示されたリング機構の断面図である。
【図７０】リングが開位置にあることを示す、図６４〜６９に示されたリング機構の斜視図である。
【図７１】リングが開位置にあることを示す、図６９と同様の断面図である。
【図７２】図６４〜７１に示されたリング機構の拡大斜視図である。
【図７３】リング機構の第１２の実施形態の一部の拡大部分底面図である。
【発明を実施するための形態】
【００２１】
対応する参照文字は、図全体を通して対応する部分を示す。
【００２２】
図１〜９を参照すると、本発明のリングバインダの一実施形態は、概して１０１で表され、３リングノートブックとして示されている。ノートブック１０１は、カバー１０３（広義に「基板」）、およびカバーに固定され、ルーズリーフページ（ｌｏｏｓｅ−ｌｅａｆ  ｐａｇｅｓ）（図１に示されていない）もしくはリング上に保存することができる他の品目を、選択的に保持し、かつ取り外すように作動可能なリング機構１０５を含む。
【００２３】
図１に示されたように、ノートブックカバー１０３は、背表紙１０７を有する。カバー１０３の表表紙１０９および裏表紙１１１は、背表紙の対向する側部に沿って背表紙１０７にヒンジで取り付けられる。カバー１０３の表紙１０９、１１１は、当業者に公知の方式でリング機構１０５によって保持されたルーズリーフページを、選択的に露出および包含するために、背表紙１０７に対して可動である。示された実施形態では、リング機構１０５は、背表紙１０７に隣接する裏表紙１１１に固定される。しかし、リング機構１０５は、必要に応じてノートブックカバー１０３の異なる部分に固定することができる。図１に示された実施形態はノートブックであるが、他のリングバインダ（すなわち、ノートブックでないリングバインダ）も、本発明の範囲内であることが理解される。たとえば、ノートブックカバーの代わりに、リング機構１０５は、ファイル、クリップボード、スケジュール帳、ブリーフケースなどに関連した構造に固定することができる。
【００２４】
リング機構１０５は、ルーズリーフページを保持するための複数のリング１２３（たとえば図１に示されたような、３リング）を担持する、細長い本体１２１を含む。リング１２３および本体１２１は、成形可能な高分子材料から作られた、１ピースの単一構造として一緒に形成される。たとえば、高分子材料は、ポリオキシメチレン（ＰＯＭ）（たとえば、Ｄｅｌｒｉｎ（登録商標））、ポリアミド（ナイロン）、ポリプロピレン（ＰＰ）などが好適であり得る。リング１２３および本体１２１は、適切には、射出成形装置の鋳型内の１片として一緒に製造される。射出成形の当業者は、本明細書に記載されたようなリング１２３および本体１２１の１ピースの構造と、リングと本体が別個に作られ、後に結合または一緒に組み立てられる、他の構造との間に、いくつかの内部分子および構造の差があることを認識されよう。これらの差には、継ぎ目、溶接／接合線および分子レベルで１ピースの構造内に他の内部断絶が存在しないことが含まれることが可能である。
【００２５】
細長い本体１２１は、適切には、概ね矩形の断面形状および対向する端部１４３における丸みを帯びた角部１４１（または丸い端部）を有するソリッド本体である。また本体１２１の側端１４７は、適切には、面取りされている、または別法により丸みを帯びている／平滑にされているので、本体１２１は、衣類に引っかかる、または人を負傷させる可能性がある鋭い形体を有さない。図面に示された本体１２１は、実質的に均一の厚さＴ１（図４）を有する。穴部１４５は、（示されたように）突起締結具１１５、リベット、またはリング機構１０５をノートブックカバー１０３もしくは他の基板に固定するための他の適切な締結具を受け取るために、本体の端部１４３の間を本体１２１の長軸に沿って様々な位置で提供される。たとえば、図１に示された実施形態は、本体１２１の端部１４３のそれぞれに隣接する穴部１４５、および２つのリング１２３の間の第３の穴部を有する。穴部１４５は、適切には、リング１２３から長軸方向に離間される。
【００２６】
各リング１２３は、細長い本体１２１から延び、細長い本体１２１によって担持される第１および第２のリング部材１２５を含む。（リング部材および他の対の構造に対する参照番号は、対の構造の特定の１つの参照を示すために、接尾語「ａ」「ｂ」を含むことがあるが、接尾語は、接尾語が説明の明確さを増加させない場合は割愛される。）たとえば、各リング１２３のリング部材１２５は、適切には、図１に示されたように、本体１２１の対向する側部から延びる。リング部材１２５の少なくとも端部１２７は、閉位置（図１）と開位置（図７）との間で互いに対して可動である。閉位置において、リング部材１２５は、リング１２３によって保持されたルーズリーフページＬＬＰ（図１０）を、リングに沿って１つのリング部材１２５ａから他方１２５ｂに動かすことができるために、実質的に連続した閉ループを一緒に形成する。開位置において（図７）、リング部材１２５は、ルーズリーフページをリング１２３に追加またはリング１２３から取り外すために、不連続の開ループを形成する。
【００２７】
リング機構１０５は、本体１２１およびリング部材１２５を含み、リング部材が開位置にあるときは（図７）、非変形状態である。さらに、開位置において、リング部材１２５は、従来の金属リング機構のリング部材が開位置にあるのと概して同様に配置される。たとえば、開位置において、リング部材１２５の端部１２７は、適切には、概して本体１２１の上にある。またリング部材１２５の端部１２７は、非変形の開位置にあるときは、概して互いに内方に延在する。リング部材１２５の端部１２７の仮想的な直線突起１５１は、約７５度を超える、より適切には約８５度を超える、より適切には約９０度を超える、より適切には約１２０度を超える、またさらにより適切には少なくとも約１５０度を超える、開いた非変形位置において角度Ａ（図８）で互いに交差する。ルーズリーフページがリング部材１２５の間でそれらを移動するために、あまり再配向される必要がないので、比較的大きい角度Ａにより、リングが開位置にあるときは、ルーズリーフページを１つのリング部材から他方へ移動するのが促進される。
【００２８】
非変形の開位置において、端部１２７はまた、１つまたは複数のルーズリーフページ（たとえば、複数のページが一緒に積み重ねされている）がリングに追加される、かつ／またはリングから取り外されることが可能になるために十分な距離Ｄ１（図８）で互いに離間している。図７に示されたように、たとえば、適切には、リングが開いた非変形位置にある際、本体１２１の対向する端部１４３の間、および本体の上のリング部材１２５の端部１２７の間に長軸方向に延びる、実質的にまっすぐな隙間１３５が存在する。示された実施形態では、隙間１３５の幅は、開いた非変形のリング部材１２５の端部１２７の間の距離Ｄ１と同じである。開位置では、隙間１３５は、ルーズリーフページが、リング部材を変形することなく、またはページを折り曲げることなく、リング部材１２５の端部１２７の間の隙間の中に端に沿って挿入できるように、リング機構のいかなる構造であってもよい間隙である。
【００２９】
使用者が、ルーズリーフページを、隙間１３５を横切って１つのリング部材から他方に容易に移動できるように、リング部材１２５の端部１２７の間の距離Ｄ１が十分に小さいことも望ましい。非変形の開位置におけるリング部材の端部１２７の間の距離Ｄ１は、リング１２３の大きさに依存して変化することができる。概して、リング部材の端部１２７の間の隙間１３５は、より大きいリングに対して大きく、より小さいリングに対して小さい。距離Ｄ１は、概して約１０ｍｍ〜約４５ｍｍである。たとえば、開いたリング部材１２５の端部１２７の間の距離Ｄ１は、適切には、（１）約１インチ以下の直径を有する（または非円形リングの場合は、ルーズリーフを保持する容量と等しい容量を有する）リング部材の場合は、約１０ｍｍ〜約３０ｍｍ、（２）約１．０インチ〜約１．５インチの範囲の直径を有する（または非円形リングの場合は、ルーズリーフを保持する容量と等しい容量を有する）リング部材の場合は、約１３ｍｍ〜約３５ｍｍ、（３）約１．５インチ〜約２．０インチの範囲の直径を有する（または非円形リングの場合は、ルーズリーフを保持する容量と等しい容量を有する）リング部材の場合に、約１６ｍｍ〜約４０ｍｍ、（４）約２インチを超える直径を有するリング部材の場合に、約２０ｍｍ〜約４５ｍｍ、からなる群から選択される。
【００３０】
各リング１２３のリング部材１２５の少なくとも１つは、リングが開位置（図７）から閉位置（図１）に移動するために弾性的に変形可能である。示されたように、各リング１２３に対する各リング部材１２５は、変形可能であり、開位置と閉位置との間をリングが移動するために、本体１２１に対して移動する。たとえば、各リング部材１２５は、適切には、各リング部材１２５が、リング部材の端部１２７に延びる、比較的可撓性の少ないセグメント１３１を担持する、本体１２１に隣接する比較的可撓性であるセグメント１３３を有するように構築される。示された実施形態では、可撓セグメント１３３は、本体１２１の側部１４７から延び、本体１２１と比較的剛性であるセグメント１３１との間のヒンジ連結（たとえば、「リビングヒンジ」）を形成する、リング部材１２５の比較的薄平なセグメントである。
【００３１】
リング部材のセグメント１３１、１３３の可撓性は、リング部材１２５が本体１２１と端部１２７との間に延在するので、断面でリング部材１２５の大きさおよび形状を変化することによって制御することができる。示されたように、リング部材１２５の可撓セグメント１３３は、本体１２１の厚さＴ１より薄いその最も薄い場所で、厚さＴ２（図５）を有する薄くされた区分を含む。図６に示されたように、可撓セグメントは、剛性であるセグメント１３１に隣接して急速な割合の薄化を生成し、また最小厚さを有する可撓セグメントの一部に隣接して低減された割合の薄化を生成する、弓状切欠１３７に関連する。
【００３２】
それぞれの薄化された区分は、図６に示されたように、薄化された区分の上下の弓状切欠１３７に関連することができる。また薄化された区分は、単一の弓状切欠にも関連することができる。たとえば、可撓セグメント１３３は、薄化された部分の上部が、図６Ａに示されたように、本体１２１の上部表面と面一であるように、薄化された区分の下の単一の弓状切欠１３７を有することができる。ルーズリーフページがリング１２３の内部表面に沿って摺動するとき、ルーズリーフページが巻き込まれる、または引きちぎられることがある危険性を低減するために、可撓セグメント１３３の上部表面を本体１２１の上部表面と面一にすることが望ましい場合がある。本明細書に説明され、示された弓状切欠は、比較的可撓な、薄化されたリング区分を獲得するための一方法であり、可撓リング部材部を本発明の範囲内で作る他の方法が存在することが理解される。また、弓状切欠１３７は、リング部材の可撓部分を生成するために必要とされないことも理解される。
【００３３】
各リング部材１２５の断面形状は、比較的剛性であるセグメント１３１の少なくとも大部分の長さに沿って実質的に一定である。特に、各リング部材１２５は、１インチのリングに対して少なくとも約２５ｍｍ、１．５インチのリングに対して少なくとも約３５ｍｍ、２インチのリングに対して少なくとも約４８ｍｍ、３インチのリングに対して少なくとも約７４ｍｍの弓状長さに沿って、図５Ａに示されたように、連続した平滑な周辺（たとえば、実質的に円形、楕円形、または長円形）を有する、実質的に一定の断面形状を有するセグメントを有する。発明者らは、各リング部材１２５の比較的長いセグメントに対して、実質的に円形の断面形状を使用することは、この形状が表面積を最小化し、成形工程中の熱および圧力の損失を制限するので望ましいと判定した。このことは、高品質部品の生産を促進する一方で、射出成形装置の周期当たりに要する時間を削減できる。また、断面形状は、その周囲が連続して平滑（たとえば、実質的に円形）であるので、断面形状は、ルーズリーフページをリング１２３に沿って動かすときに、摩耗を増加する、あるいはルーズリーフページを損傷する可能性のある、縁端部または角部がなく、紙をリングに沿ってより平滑に動かすことができる。可撓部分１３３に隣接する比較的剛性であるセグメント１３１の部分は、実質的に円形の断面形状からリングセグメントの可撓部分の形状に徐々に平滑に移行する。
【００３４】
リング部材１２５を閉位置に移動させるために、リング部材は（たとえば、端部が交わる、または重複する（図９（ｂ））まで、端部１２７を互いに向かって（図９（ａ））折り曲げることにより）閉じたリングを形成するために、図９に示されたように弾性的に変形される。図８（開位置）におけるリング部材１２５を図５（閉位置）に比較して明らかなように、リング部材１２５の折り曲げは、リング部材１２５の可撓セグメント１３３の比較的薄い部分に集中されることに留意されよう。閉位置（図９（ｃ））にある場合は、リング部材１２５は、開位置に向かって移動するために、その中の内弾性復元力によって付勢される。
【００３５】
保持システム１６１（図５および７〜９）は、リング部材内の弾性復元力の付勢に反して、閉位置におけるリング部材１２５を選択的かつ解除可能に作動可能である。示された実施形態では、保持システム１６１は、形成部１６３、１６５がリング部材１２５の端部１２７の間を閉位置から離れる相対運動を制限するように、一方のリング部材１２５ａの端部１２７ａ上の形成部１６５に係合するように作動可能な、他方のリング部材１２５ｂの端部１２７ｂ上の形成部１６３を含む。示されたように、たとえば、第１の形成部１６３は、適切には、端部１２７ｂから本体１２１の長軸に概して平行に延在するポストを含み、第２の形成部１６５は、本体の長軸に概して平行に延びる方向に端部１２７ａを通って延在し、ポストが開口の中に挿入されている際は、ポストを解除可能に捕捉するように作動可能な開口を含む。
【００３６】
リングを閉位置に移動させるために、リング部材は、対向するリング部材の端部１２７を互いに重複する位置に至らせるように変形されるので、第１の端部１２７ｂ上のポスト１６３は、図９（ｂ）に示されたように、他方の端部１２７ａ内の開口１６５と位置合わせされる。次いでリング部材の端部１２７は、ポスト１６３を開口１６５の中に本体１２１の長軸に概して平行な方向に挿入するために移動される。ポスト１６３および開口１６５は、適切には、ポストと開口との間の摩擦により、ポストの開口からの離脱に抵抗するように、サイズ化および形状化される。たとえば、開口１６５およびポスト１６３は、締まりばめを生じる寸法および公差であることが可能である。ポスト１６３と開口１６５の縁端部との間の係合は、ポストが開口内にある限り、リング部材の端部１２７を分離するために、リング部材の移動を妨げる。
【００３７】
また、リング部材１２５の端部１２７は、対向する端部の接面１７１が、実質的に互いに面一であり、リング部材の接面間のあらゆる隙間が、ルーズリーフページを１つのリング部材から他方に移動するときに、ルーズリーフページを保持システム上に捕獲する機会を制限するために最小であるように、形成される。また、閉位置でのリング部材１２５の端部１２７の重複位置の断面形状（図５Ｂ）は、リング部材間の最小の隙間を除いて、その周囲に沿って連続して平滑（たとえば、実質的に円形）である。さらに、閉位置でのリング部材１２５の集合端部１２７の断面形状（図５Ｂ）は、一定の断面形状を有するセグメントに沿った各リング部材の断面形状（図５Ａ）と同様である。示された実施形態における閉じたリングの全体の断面形状は、一方のリング部材１２５ａの比較的剛性であるセグメント１３１ａから重複端部１２７および保持システム１６１を超えて、反対側のリング部材１２５ｂの比較的剛性であるセグメント１３１ｂまでずっと実質的に一定である。
【００３８】
リングを開くために、リング部材１２５の端部１２７は、ポスト１６３を開口１６５から引き抜き、リング部材の端部１２７を互いから離断するために、本体１２１の長軸に概して平行に互いから離れて移動される（図９（ｄ））。一旦リング部材１２５の端部１２７が離断されると、リング部材内の弾性復元力および／または使用者によって加えられた力は、リング部材をそれらの開位置に逆行させる。本体１２１の長軸に概して平行に作用する力は、リング部材１２５の端部１２７を互いから離断するために必要なので、保持システム１６１は、リングによって保持されるルーズリーフページによって加えられる力に起因して、リング１２３の意図しない開きに耐性がある。リング１２３によって保持されるルーズリーフページの重量は、１つまたは複数のリング部材１２５を開位置に向かって放射状に外側に引く、リング上の力を加えることがある。発明者らは、リング機構１０５の通常使用中に、リング１２３によって保持されるルーズリーフページの重量が、リング部材の端部１２７を、リング機構の本体１２１の長軸に概して平行な方向に引く傾向にあるリング上の力を加える可能性はあまりないと認識している。たとえば、ルーズリーフページの重量が一方のリング部材１２５の端部１２７に加えられて、この端部を長軸方向に引く一方で、他方のリング部材の端部が反対の長軸方向に保持される、または引かれる可能性は起こりそうもない。そうではなく、ルーズリーフページの重量により一方のリング部材１２５の端部１２７に加えられるあらゆる長軸の力は、リング部材の端部が、分離するよりはむしろ連結されたままであるように、リング部材の端部を結合して移動する傾向がある、他方のリング部材の端部にも加えられ得る。したがって、保持システム１６１は、有利には、リング１２３を開くことを意図する使用者が、比較的少ない努力でそうすることができる一方で、同時に、リングによって保持されるルーズリーフページの重量により、リングの意図しない開きを実質的に妨げることを提供するよう設計されることが可能である。
【００３９】
図１１〜１５は、リングバインダ機構２０５の第２の実施形態を示す。この実施形態は、特記がない限り、上述され、図１〜１０に示された実施形態１０５と実質的に同様である。図１３に示されたように、このリングバインダの本体２２１は、上述の本体の全体の厚さＴ１より厚い、全体の厚さＴ３を有する。さらに、本体２２１は、頂部２５５および頂部から下に延びる側部２５７を有する。本体２２１は、またリブ２７５（図１２）で補強される。特に、本体２２１は、本体の中央軸に沿って延びる１つの縦リブ２７７を有する。縦リブ２７７は、本体２２１の対向する丸みを帯びた端部２４３の間で端まで延びる。また、本体２２１は、本体の側部２５７の間に延在し、縦リブ２７７に概して垂直な一連の横リブ２７９も含む。横リブ２７９は、リング２２３は、上述のリング１２３と実質的に同じ方法で構築される際、本体に沿って各リング２２３と同じ軸位置に存在する。示されたように、リング２２３の間（たとえば、リングの中間点）に、本体に沿って軸方向に位置する、横リブ２７９も存在する。リブ２７７、２７９および本体２２１の側部２５７は、より堅固な構造が、より薄化された本体１２１に由来する上述のリングバインダ機構１０５の容量を増加するより望ましい適用のために、より堅固な構造を提供する。また、本体２２１のリブのある構造は、同じ長さを有するソリッド構造の本体に必要とされるより少ない材料を使用する。
【００４０】
図１６〜２７は、リングバインダ機構３０５の第３の実施形態を示す。このリング機構３０５は、特記がない限り、図１〜１０に記載されたリング機構１０５と実質的に同一である。この実施形態におけるリングバインダの本体３２１は、リングに対して第１の実施形態１０５の本体１２１と異なる配向を有する。特に、本体３２１は、対向する大きい表面３５５を有する概して平坦な板である。リング部材３２５は、本体３２１の大きい表面３５５から延びる。リング部材３２５は、第１の実施形態の可撓セグメント１３３と実質的に同様である可撓セグメント３３３によって本体に取り付けられ、リング３２３の開閉は、リング１２３に対して上に記載されたものと実質的に同じである。また、リング機構３０５は、ノートブックカバー１０３または他の基板に固定されるように適合された取付板３５７を含む。取付板３５７は、適切には、リング機構３０５の本体３２１に枢動連結される。たとえば示されたように、取付板３５７は、リビングヒンジ３５９により、リング３２３の概して反対側の本体の側部で本体３２１に連結される。取付板３５７、本体３２１およびリング３２３は、適切には、上述のように成形可能な高分子材料から１ピースとして形成される。取付板３５７がノートブックカバー１０３の背表紙１０７または他の基板に固定される場合、本体３２１は、図２２〜２７に示されたように、基板および取付板に対してヒンジ３５９上を枢動できる。図１６〜２７に示されたリング機構のタイプは、その可撓性のために、図２４に示されたように、パネル１０９、１１１をそれら自体の後ろに折り曲げ、一部のページはパネルの頂部上にあり、一部のページはパネルの下にあるように、ルーズリーフページを配置するように提供するので、「回転」と呼ばれることがあることは、当業者には認識されよう。
【００４１】
図２８〜３３は、リングバインダ機構４０５の第４の実施形態を示す。このリング機構４０５は、特記がない限り、上述の機構１０５と実質的に同一である。上述の機構１０５のリング部材１２５の動きは、金属筐体によって担持されるヒンジ板上に装着されたリングを有するタイプの、多くの従来の金属リングバインダと同様であるのに反して、図２８〜３３に示された機構のリング４２３の開閉の動きは、従来の金属レバーアーチ機構のリングの動きと実質的に同様である。この機構４０５のリング４２３は、本体４２１に対して可動である一方のリング部材４２５ｂ、およびリング４２３の開閉中に本体に対して感知できるほど動かないように、実質的に固定されている別のリング部材４２５ａを含む。可動リング部材４２５ｂは、可撓セグメント１３３が、リング部材１２３を上述の機構１０５の本体１２１に連結するのと実質的に同じ方法で、本体４２１に連結する比較的可撓性であるセグメント４３３を有する。他方のリング部材４２５ａは、適切には、本体４２１から上に延びる実質的にまっすぐな円筒形ロッドを含む。機構４０５は、上述の保持システム１６１と実質的に同様の保持システム４６１を含む。本体４２１およびリング４２３は、適切には、上述のように、成形可能な高分子材料から１ピースとして形成される。
【００４２】
図３４〜４２は、リングバインダ機構５０５の第５の実施形態を示す。このリング機構５０５は、特記がない限り、上述の機構２０５と実質的に同様である。このリング機構では、各リング部材５２５は、本体５２１に沿って、本体５２１の長軸に概して平行な方向に延びるリビングヒンジ５３３により、本体５２１に連結される。本体５２１、リビングヒンジ５３３、およびリング部材５２５は、成形可能な高分子材料から１ピースとして一緒に形成される。
【００４３】
図３６に示されたように、リビングヒンジ５３３は、凹所５８１内に本体５２１の対向する側部５４７に沿って配置される。特に、図４０を参照すると、各リビングヒンジの最も薄いセグメント５５９は、本体５２１の軸方向に延び、本体５２１の隣接する側部５４７の内側に配置される。さらに、最も薄いセグメント５５９は、リング５２３の開位置および閉位置の両方において、本体５２１の側部５４７の内側にあり、リング部材が開位置と閉位置の間を動くときに、本体の側部の内側に保持される。図４１および４２に示されたように、リビングヒンジ５３３の最も薄いセグメント５５９は、リビングヒンジの上部および下部表面内の弓状切欠５３７によって画定される。弓状切欠は、適切には、リング５２３が開いた非変形位置にあるとき、約０．５ｍｍ〜約２．０ｍｍの範囲で比較的大きい半径の屈曲を有する。リング５２３が閉位置にあるとき（図４０）、切欠５３７は、リビングヒンジ５３３の非変形に起因して、異なる形状である。特記がない限り、本明細書の切欠５３７の形状についての記載は、リング５２３が開位置にあり、リビングヒンジ５３３が非変形構造にある際の、切欠の形状を指す。
【００４４】
弓状切欠５３７は、リビングヒンジ５３３の最も薄いセグメント５５９の外方に配置された、長軸に延びるリブ５５７を形成するように形作られる。リブ５５７は、適切には、リビングヒンジ５３３の最も薄いセグメント５５９が、リブと本体５２１の残余部分との間の唯一の連結であるように、リビングヒンジの最も薄いセグメントによりもっぱら担持される。リブ５５７の外側縁は、適切には、概して本体５２１の側部５４７と位置合わせされる、または本体５２１の側部５４７のわずかに外側に配置される。リブ５５７は、リビングヒンジ５３３の最も薄いセグメントの厚さＴ４より実質的に厚い、その外側縁において厚さＴ３を有する。たとえば、その外側縁におけるリブ５５７の厚さＴ３は、適切には、約１．５ｍｍ〜約５．０ｍｍの範囲であるが、リビングヒンジ５３３の最も薄いセグメント５５９の厚さＴ４は、適切には、約０．２５ｍｍ〜約０．９ｍｍの範囲である。
【００４５】
リング部材５２３の基部は、対応するリビングヒンジ５３３のリブ５５７にリブの外側縁において取り付けられる。その外側縁における各リブ５５７の厚さＴ３は、適切には、リブに取り付ける、対応するリング部材５２３の基部の厚さＴ５とほぼ等しい。弓状切欠５３７は、リビングヒンジ５３３の最も薄いセグメント５５９と、リブ５５７の外側縁との間に平滑な移行を生成する。そこでリビングヒンジ５３３の厚さが、最も薄いセグメント５５９から外方への移動を増加する割合は、弓状切欠に沿って連続して増加するので、リビングヒンジの全長および耐久性が増加する。また、弓状切欠５３７は、連続して湾曲した方式でリビングヒンジ５３３の最も薄いセグメント５５９の内側の位置から、リビングヒンジの最も薄いセグメントの外側の位置に延びる。それ故、リビングヒンジ５３３の最も薄いセグメント５５９は、リビングヒンジの薄い軸方向に延びる直線部として構成される。たとえば、断面図に照らして見ると、図４０〜４２に示されたように、リビングヒンジの最も薄いセグメントは、唯一の単一点であり、リビングヒンジ５３３は、より厚い厚さに該点の内方と外方の両方に平滑に移行する。
【００４６】
リビングヒンジ５３３はそれぞれ、リング部材５２５の軸方向長さＬ２より長い軸方向長さＬ１（図３６）を有する。リビングヒンジ５３３の軸方向長さＬ１は、リビングヒンジの最も薄いセグメント５５９の軸方向長さを測定することによって決定される。リビングヒンジ５３３の長さＬ１は、適切には、リング部材５２５の軸方向長さＬ２の少なくとも３倍である。別の例として、リビングヒンジ５３３の長さＬ１は、適切には、１インチの少なくとも約５／８である。リビングヒンジ５３３は、それらが受け取られる凹所５８１より軸方向長さが短い。したがって、その最も薄いセグメント５５９におけるリビングヒンジの端部と、凹所の端部との間のリビングヒンジ５３３の対向する軸端に小さい隙間５８３が存在する。隙間５８３の大きさは、本発明の範囲内で変化することができる。隙間５８３は、隙間５８３がリング部材５０５の本体５２１を凹所５８１の端部でリビングヒンジ５３３の動きから離断するので、有利である。隙間５８３に起因して、リビングヒンジ５３３の最も薄いセグメント５５９の軸端は、リング部材５２５が開位置と閉位置との間を移動する間、本体５２１に対して動くことができる。隙間５８３はまた、本体５２１が、リビングヒンジ５３３の軸端を、凹所５８１の側部に隙間を跨いで直接連結される場合に、生じる可能性がある応力集中を制限または回避する。隙間５８３は、適切には、本体５２１の側部５４７は、リビングヒンジ５３３に対して（たとえば、リビングヒンジ５３３を、機構を使用中に他の目的での偶発的な衝突から防ぐために）より良好な遮蔽を提供するように、比較的小さい。
【００４７】
リングバインダ機構５０５はまた、リング部材５２５を閉位置で選択的かつ解除可能に維持するために、保持システム５６１を含む。保持システム５６１は、特記がない限り、上述の保持システム１６１と同様である。図３７および３８を参照すると、一方のリング部材５２５ｂの端部５２７ｂ上のインターロック機構は、開放端部を有する本体５２１の軸方向に延びる、少なくとも１つの突起５６３（たとえば、ポスト）を含む。図３８に示されたように、たとえば、他方のリング部材５２５ａ上のインターロック機構は、適切には、突起５６３を受け取るために軸方向に延びる開口５６５である。
【００４８】
開口５６５は、適切には、リング部材５２５が非保持位置から保持位置に移動する際に、開口の軸に関して放射状に内方に該少なくとも１つの突起５６３を弾性的に圧縮するようにサイズ化される。開口５６５は、適切には、突起が開口の中に挿入されると、突起５６３を放射状に内方に複数の異なる方向に圧搾するように適合される。同様に、突起５６５は、適切には、突起が開口５６５の中に挿入される際に、開口上の力を放射状に外方に加えるように適合される。開口５６５は、適切には、図４２に示されたように、わずかに細長い（たとえば、長円形）断面形状を有するが、開口は、本発明の広範囲の他の形状を有することができる。図３９に矢印によって示されたように、リング５２３を開閉中のリング部材５２５の動きは、上述の保持システム１６１に対するものと実質的に同じである。
【００４９】
図３７および３８に示されたように、突起５６３は、適切には、互いに離間した複数の指部５７５を少なくとも突起の開放端部に含む。指部の数は、本発明の範囲内で変化することができる。図３７および３８では、各突起５６３は、軸方向に延びるポストを集合的に形成する、２つの指部５７５を有する。示された実施形態では、指部５７５は、指部の基部でリング部材５２５ｂの端部５２７ｂに連結され、軸方向に延びるポスト／突起５６３の全長に沿って互いに離間を保持する。しかし、指部５７５は、軸方向に延びる突起５６３の一部のみに沿って互いに離間してもよいことが、企図される。たとえば、指部は、突起の開放端部で互いに離間するが、突起がリング部材の端部に連結される突起の基部で互いに離間しなくてもよい。
【００５０】
少なくとも１つの間隙５７１は、突起５６３内に含まれ、間隙の少なくとも一部は、インターロック機構５６３、５６５が保持位置と非保持位置との間を動く際、反対側のリング部材５２５ａの端部５２７ａ上のインターロック機構によって弾性的に圧縮されるように適合される。示された実施形態では、間隙５７１は、突起５６３の指部５７５の間に延在する。特に、間隙５７１は、適切には、突起５６３の開放端部から突起の中に軸方向に延びる。図３８に示されたように、間隙５７１は、適切には、指部５７５の間を延びる細長い溝である。間隙５７１を形成する溝は、適切には、突起５６３の対向する側部の間の突起全体を通って横方向に延びる。間隙５７１は、適切には、実質的に突起５６３の軸方向長さ全体を通って、開放端部から突起の基部に延びる。さらに、示された実施形態では、間隙５７１は、指部５７５の間に配置される第１の部分５７１ａ、および突起５６３の基部を超えてリング部材５２５ｂの端部５２７ｂの中に延在する第２の部分５７１ｂを含む。図４０に示されたように、たとえば、間隙５７１は、適切には、リング部材５２５ｂの端部５２７ｂ全体を通って、リング部材の端部の一方の側部上の突起５６３の開放端部から、突起の反対側のリング部材の端部５２７ｂの側部に軸方向に延在する。
【００５１】
間隙５７１は、突起５６３の基部を超えて延在するので、突起の指部５７５がリング部材５２５ｂの端部５２７ｂに連結されている場合、成形された高分子材料の厚さにおける突然の変化は少ない。このことは、成形された高分子構造が鋳型から取り除かれた後に不均一に冷却する際に起こる可能性がある問題の軽減などの、いくつかの利点を提供する。これにより、突起５６３の耐久性を向上することができる。また、間隙５７１は、リング部材の端部５２７ｂを通って延びるので、リング部材５２５ｂの端部５２７ｂの最遠位端部は、間隙５７１の対向する側部（たとえば、間隙の上下）上の１対のアーム５７９により、リング部材の残余部分に連結される。アーム５７９は、突起５６３内の応力集中（たとえば、指部５７５は、リング部材５２５ｂの端部５２７ｂに連結されている）を軽減するのに役立つために、突起５６３が他方のリング部材５２５ａの端部５２７ａ内の開口５６５の中に挿入されると、非常にわずかに屈曲することができる。これはまた、突起５６３の耐性および保持システム５６１の性能を多数の開閉循環を経て向上させることができる。間隙５７１はまた、機構５０１を鋳型から取り除くのを容易にすることができる。
【００５２】
突起５６３内の間隙５７１ａの部分は、非保持位置内の第１の容積、およびリング部材５２５が、その中で保持システム５６１が保持位置と非保持位置との間にある中間位置にあるときに、第１の容積より小さい、第２の容積を有する。突起５６３内の間隙５７１ａの部分は、保持システム５６１が保持位置内にあるとき、第３の容積を有する（第３の容積は、第１の容積と等しくてもよく、第２の容積と等しくてもよく、または第１の容積および第２の容積の両方と異なってもよい）。示された実施形態では、突起５６３内の間隙５７１ａの部分の容積は、非保持位置内の間隙の容積とほぼ等しい。突起５６３を開口から取り除くために、突起を変形し、間隙を変形して、その第２の容積に圧縮する程度の大きさの力が必要とされる。これは、リング５２３を閉位置に保持する保持システム５６１を確保するのに役立つ。突起内の間隙５７１ａの部分がより小さい容積に圧縮されると、間隙５７１ｂの他方の部分は、アーム５７９が望ましくない応力集中を軽減するためにわずかに屈曲するので、より大きい容積に膨張することができる。
【００５３】
図４４〜４６Ｂは、リングバインダ機構６０５の第６の実施形態を示す。このリング機構６０５は、特記がない限り、上述のリング機構５０５と実質的に同一である。保持システムの突起６６３は、適切には、４つの指部６８９を含む。間隙６７１は、概ねプラス形状であり、４つの指部６８９のそれぞれの間に延在する。間隙６７１は、突起６８３を超えて軸方向に延在しない。さらに、間隙６７１は、突起の開放端部から、突起６６３の反対側の端部までの距離より短い距離を延びる。間隙６７１は、突起６８３が開口内に挿入されると、開口６６５により多方向に放射状に圧縮される。したがって、保持システム６６１が保持位置にあるときは（図４６Ｂ）、指部６８９および開口６６５は、リングが不用意に開く可能性を制限するのに役立つより、互いの上に放射状の力を加える。
【００５４】
図４７〜４９Ｂは、リングバインダ機構７０５の第７の実施形態を示す。このリング機構７０５は、特記がない限り、上述のリング機構５０５と実質的に同一である。保持システム７６１の突起７６３は、適切には、突起の開放端部に延びる周壁７９１を含む。壁７９１によって包囲される間隙７７１が存在する。間隙７７１は、突起７６３の開放端部から突起の軸方向長さの少なくとも一部を通って軸方向に延びる。壁７９１は、適切には、保持システム７６１が非保持位置にあるとき、壁７９１が突起７６３の開放端部に向かって延びるので、外方に先細になる。周壁７９１（およびしたがって突起７６３）は先細になるが、開口７６５は、適切には、保持システム７６１が非保持位置にあるときは、まっすぐな側部を有する。開口７６５は、突起７６３が開口内に挿入されると、（たとえば、壁７９１の先細およびまっすぐな側部にされた開口７６５により）その中に突起７６３および間隙７７１を弾性的に圧縮するように構成される。したがって、保持システム７６１が保持位置にあるときは（図４９Ｂ）、周壁７９１および開口７６５は、リングが不用意に開く可能性を制限するのに役立つより、互いの上に放射状の力を加える。
【００５５】
図５０〜５２Ｂは、リングバインダ機構８０５の第８の実施形態を示す。このリング機構８０５は、特記がない限り、上述のリング機構５０５と実質的に同一である。保持システム８６１は、本体８２１の軸方向に延びる突起８６３（たとえば、示された実施形態におけるようなポスト）を含む。反対側のリング部材８２５内の開口８６５は、リング部材８２５が閉じており、保持システム８６１が保持位置にあるときは、ポスト８６３を受け取るように適合される。ポスト８６３は、適切には、比較的広い基部から比較的狭い開放端部に延びる。図５０、５２Ａ、および５２Ｂに示されたように、ポスト８６３は、適切には、円錐台形状を有する。開口８６５は、適切には、示されたように、ポスト８６３の形状に一致するように先細にされる。開口８６５および突起８６３は、突起が開口の中に挿入されると、開口が突起を圧縮するような寸法である。リング部材８２５が保持位置にあり、その製造状態において突起８６３が開口の中に完全に挿入される際は、リング部材の接面８７１の間に隙間８９１が存在する。この隙間８９１は、ポスト８６３および開口８６５が、リングの繰り返される開閉から摩耗した後でさえも、保持システム８６１の連続する性能を促進する。
【００５６】
図５３〜５７は、リングバインダ機構９０５の第９の実施形態を示す。このリング機構９０５は、特記がない限り、上述のリング機構５０５と実質的に同一である。上述の機構５０５のリング部材５２５の動きは、金属筐体によって担持される、ヒンジ板上に装着されたリングを有するタイプの、多くの従来の金属リングバインダと実質的に同様であるが、図５３〜５８に示された機構のリング９２３の開閉の動きは、レバーアーチ機構のリングの動きと実質的に同様である。この機構９０５のリング９２３は、本体９２１に対して可動である１つのリング部材９２５ｂ、および本体に実質的に固定されている別のリング部材９２５ａを含む。可動リング部材９２５ｂは、それぞれがリビングヒンジ９３３により、本体９２１の側部９４７に連結される。リビングヒンジ９３３は、上述の切欠５３７およびヒンジリブ５５７に対応する弓状切欠９３７およびヒンジリブ９５７を含む。それぞれの固定されたリング部材９２５ａは、適切には、本体９２１から実質的に上にまっすぐに延びるセグメントを含む。固定されたリング部材９２５ａを本体９２１に連結するリビングヒンジは存在せず、固定されたリング部材９２５ａは、可動リング部材９２５ｂほど容易に動かない。しかし、リング部材９２５ａの端部９２７ａは、（たとえば、保持システム９６１を係合または係脱するために）リング部材の弾性変形により、本体９２１に対してわずかに動くことができる。示された実施形態では、端部９２７ｂに隣接するリング部材のセグメントは、反対側のリング部材９２５ｂに向かってわずかに内方に延びる。機構９０５は、上述の保持システム５６１と実質的に同様の保持システム９６１を含む。本体９２１およびリング９２３は、適切には、上述のように、成形可能な高分子材料から１ピースとして形成される。
【００５７】
図５８〜６３は、リングバインダ機構１００５の第１０の実施形態を示す。このリング機構１００５は、特記がない限り、上述のリング機構５０５と実質的に同一である。リビングヒンジ１０３３は、ヒンジ１０３３が、本体１０２１の側部に沿って凹所内に配置されず、ヒンジは隣接するリング１０２３の間に延在する（たとえば、本体の全側部に連続して沿う）ので、複数のリング部材１０２５が、単一のリビングヒンジにより本体に固定される以外は、上述のリビングヒンジ５３３と実質的に同一である。たとえば、適切には、リング１０２３の開位置と閉位置との間を枢動するために、本体１０２１の各側部上のすべてのリング部材１０２５を担持する、本体の該側部上に単一のリビングヒンジ１０３３が存在する。図６３に示されたように、リビングヒンジ１０３３は、適切には、１つのリング１０２３のリング部材１０２５が、同じリビングヒンジに連結されたリング部材を有する、隣接するリングのリング部材とは無関係に枢動できるのに十分な可撓性を有する。リング機構１００５は、上述の保持システム５６１と実質的に同様な保持システム１０６１を含む。
【００５８】
図６４〜７２は、リングバインダ機構１１０５の第１１の実施形態を示す。このリング機構１１０５は、ルーズリーフページを保持するために、複数のリング１１２３（たとえば、図１に示されたような３リング）を担持する、細長い本体１１２１を含む。本体１１２１は、適切には、成形可能な高分子材料から作られた、１ピースの単一構造として形成される。
【００５９】
図６４および６７を参照すると、本体１１２１は、頂部１１５５および頂部から下に延びる側部１１５７を有する。示された実施形態における本体１１２１は、概ね長方形形状を有し、その対向する端部１１４３に丸みを帯びた角部１１４１を有する。また、本体１１２１の上側端角部１１４７は、適切には、面取りされている、または別法により丸みを帯びている／平滑にされているので、本体は、衣類に引っかかる、または人を負傷させる可能性がある鋭い形体を有さない。本体１１２１は、リング機構１１０５をノートブックカバー１０３または他の基板に固定するために、リベット、突起締結具、または他の適切な締結具（図示せず）を受け取るために、本体の端部１１４３の間の本体の長軸に沿って、様々な位置で本体を通って延びる穴部１１４５を有する。たとえば、図６４に示されたように、示された実施形態における本体１１２１は、本体１１２１の各端部１１４３に隣接する穴部１１４５、およびリング１１２３のうちの２つの間の第３の穴部を有する。穴部１１４５は、適切には、リング１１２３から長軸方向に離間している。リング機構本体を基板に固定する他の方法は、本体内の穴部を必要としないものを含み、本発明の範囲内である。
【００６０】
また、本体１１２１は、本体の頂部１１５５から延びるリブ１１７５（図６５）で補強される。特に、本体１１２１は、側部１１５７の間にあり、概してリング１１２３の間の本体の中心軸に沿って延在する、縦リブ１１７７（たとえば、２つの縦リブ）を有する。環状リブ１１８５は、穴部１１４５の周囲に延在する。２つのリング１１２３の間に配置される穴部１１４５の周囲に延在する環状リブ１１８５は、１つの縦リブ１１７７の２つのセグメントの間に配置される。示された実施形態におけるその他の縦リブ１１７７は、１つのリング１１２３に隣接する位置から別のリングに隣接する位置に連続して延びる。本体１１２１はまた、本体の側部１１５７の間に延在し、縦リブ１１７７に概ね垂直に延びる一連の横リブ１１７９も含む。横リブ１１７９は、適切には、縦リブ１１７７と、本体１１２１の軸に沿った様々な位置で交差する。リブ１１７５および本体１１２１の側部１１５７は、同じ強度を有するソリッド構造の本体に必要とされるより少ない材料を使用する本体に対して、堅固な構造を提供する。
【００６１】
各リング１１２３は、細長い本体１１２１から延び、細長い本体１１２１によって担持される、第１および第２のリング部材１１２５を含む。たとえば、各リング１１２３のリング部材１１２５は、適切には、図６４に示されたように、本体１１２１の対向する側部１１５７から延びる。リング部材１１２５は、閉位置（図６４および６５）と開位置（図７０および７１）との間を互いに対して可動である。
【００６２】
少なくとも１つのリング部材は、本体から分離して形成される。図７２に示されたように、たとえば、各リング部材１１２５は、適切には、本体１１２１から分離して形成される。各リング部材１１２５も、その他のリング部材のそれぞれから分離して形成される。各リング部材１１２５は、本体１１２１に対して枢動するために、装着できるアンカー１１３１に固定されたリング部分１１３７を有する。個々のリング部材１１２５はそれぞれ、リング部分１１３７およびそのそれぞれのアンカー１１３１を含み、適切には、成形可能な高分子材料から（たとえば、射出成形工程において）１ピースとして一体的に形成される。リング部材１１２５は、適切には、リング部材の弾性的変形が保持システム１１６１を使用してリング１１２３に接近することができる材料で作られる。保持システム１１６１は、適切には、上述の保持システム１６１、５６１、６６１、７６１、８６１のいずれとも実質的に同様である。リング部材１１２５は、本体１１２１と同じ材料から作ることができるか、またはリング部材および本体は、本発明の範囲内の異なる材料から作ることができる。
【００６３】
機構１１０５の本体１１２１は、リブ１１７５、およびアンカー１１９７を受け取り、保持するために、受容体１１３５を形成するように構成された側部１１５７を有する。アンカー１１３１および受容体１１３５は、適切には、リング部材１１２５を本体１１２１に固定するために、リング機構１１０５の組立て中、アンカーが受容体の中に噛み合うことができるように構築される。リング部材１１２５のそれぞれの対に対する受容体１１３５は、適切には、本体１１２１の対向する側部１１５７に隣接する。図６５および６６に示されたように、各受容体１１３５は、側部１１５７のセグメント、側部から横方向に内側に離間した長軸方向に延びるリブ１１８１、およびリング１１２３の対向する軸方向の側部上の２つの横リブ１１７９によって結合される。図６５に示された実施形態では、リブ１１７５は、各リング１１２３のリング部材１１２５に対して、受容体１１３５の間に隙間１１８３が存在するように構成される。しかし、図面に示されたリブ１１７５の構成は、単に一例であり、本発明の範囲内のリング部材アンカー１１３１を受け取るように本体を構成する他の方法が存在することが理解される。
【００６４】
図７２に示されたように、各リング部材アンカー１１３１は、比較的小さい細長い棒材（たとえば、示されたように、円形断面を有する実質的に円筒棒）である。本体１１２１内の受容体１１３５は、棒材が概して本体１１２１の長軸に平行な方向で、棒材１１３１を受け取り、保持するように適合される。本体１１２１は、適切には、受容体内にアンカー１１３１を保持するために、各受容体１１３５の中に横方向に延びるように配置された、保持具１１９１を有する。たとえば、図６６および６９に示されたように、保持具１１９１は、本体１１２１の側部１１５７から本体の長手方向の中心線に向かって横方向に内方に延びる。保持具１１９１は、適切には、アンカー１１３１がリング機構１１０５の組立中、受容体１１３５の中に噛み合わせることができる。
【００６５】
保持具１１９１から本体の上部表面を通って延在する本体１１２１内に開口１１６７が存在する。開口１１６７は、適切には、保持具の上に本体内の唯一の間隙空間が存在するように、概して横方向に内方に延在する保持具１１９１の上に配置される。射出成形技法の当業者は理解するように、開口１１６７により、本体１１２１を、はるかに単純な成形設計を使用し、開口のない同一本体の場合より長く存続する、射出成形工程において生成することが可能になる。たとえば、開口１１６７は、適切には、鋳型の１側部から保持具の上部表面に延びる突起によって生成される。本体１１２１を固定する助けとなるこれらの突起は、鋳型の部品が保持具１１９１の下部を切り落とさないような鋳型設計をもたらす。しかし、いかなるそうした開口も含まない本体を、本発明の範囲から逸脱せずに使用することができる。
【００６６】
図６６に示されたように、切欠１１１１は、リング部材１１２５の反対側の各保持具１１９１に隣接する、本体１１２１の側部１１５７上に配置される。切欠１１１１は、保持具１１９１を運ぶ側壁１１５７の一部を、側壁の残余部分から分離させる。このことは、アンカー１１３１が、受容体１１３５の中に噛み合っている間に、保持具１１９１を運ぶ側部１１５７の一部の屈曲を促進する。
【００６７】
図６６に示されたように、アンカー１１３１の端部は、適切には、その中に受け取られる受容体１１３５の端部を画定する横リブ１１７９の側部と当接関係である。したがって、アンカー１１３１および横リブ１１７９は、切欠は、本体１１２１に対してリング部材１１２５の長軸位置で多くのがたついた動き、または遊びをもたらすことなく、リング部材に対して実質的な隙間を提供するような寸法にできるように、切欠１１９３と整合したリング部分１１３７を保持する。また、これにより、リング部材１１２５のリング部分１１３７が、切欠１１９３の側部が擦れることなく、開位置と閉位置との間を移動することが可能になる。
【００６８】
保持具１１９１は、一旦アンカーが定位置に噛み合わせられると、リング部材アンカー１１３１を受容体１１３５から取り外すのに対して十分な抵抗を提供するが、保持具１１９１および本体１１２１の他の形体は、本体に対して保持されたリング部材１１２５の枢動に対して比較的少ない抵抗を提供する。たとえば、アンカー１１３１は、実質的に円形の断面形状を有し、アンカーに隣接する本体１１２１の表面は、保持具１１９１を含み、アンカーの外側円筒表面に実質的に一致する形状であるので、本体は、受容体１１３５内のアンカーの枢動（たとえば、アンカーの軸に一致し、本体の長い軸に実質的に平行な回転軸を中心とした）に対して比較的少ない抵抗を提供する。したがって、使用者は、各リング１１２３のリング部材１１２５を、受容体１１３５内のリング部材を枢動させることにより、開位置と閉位置との間を手動で容易に移動させることができる。
【００６９】
開位置におけるリング部材１１２５の端部１１２７間の距離Ｄ２は、十分に小さいので、使用者はルーズリーフページを、隙間１１９７を横切って１つのリング部材から他方に容易に移動させることができることも望ましい。図７１に示されたように、開位置を超えるリング部材１１２５の開口は、適切には、リング機構１１０５が固定されるカバー１０３の平面表面または他の基板と係合するリング部材によって制限される。開位置におけるリング部材１１２５の端部１１２７間の隙間Ｄ２は、リング１１２３の大きさに依存して変化できる。概して、リング部材１１２５の端部１１２７間の距離Ｄ２は、より大きいリングに対してより大きく、より小さいリングに対してより小さい。距離Ｄ２は、概して約１０ｍｍ〜約４５ｍｍである。たとえば、開いたリング部材１１２５の端部１１２７間の距離Ｄ２は、適切には、（１）約１インチ以下の直径を有するリング部材の場合（または、等しいルーズリーフ保持容量を有する非円形リングの場合）は、約１０ｍｍ〜約３０ｍｍ、（２）約１．０インチ〜約１．５インチの範囲の直径を有するリングの場合（または、等しいルーズリーフ保持容量を有する非円形リングの場合は）、約１３ｍｍ〜約３５ｍｍ、（３）約１．５インチ〜約２．０インチの範囲の直径を有するリングの場合（または、等しいルーズリーフ保持容量を有する非円形リングの場合）は、約１６ｍｍ〜約４０ｍｍ、および（４）約２インチを超える直径を有するリングの場合は、約２０ｍｍ〜約４５ｍｍ、からなる群から選択される。
【００７０】
図７３は、リングバインダの別の実施形態１２０５を示し、これは、特記がない限り、上述のリングバインダ１１０５と実質的に同一である。この実施形態におけるアンカー１２３１に対して本体１２２１内の受容体１２３５は、アンカーの軸方向長さを超える軸方向長さを有する。切欠１２６９は、上述の対応する切欠１１１１よりリング部材１２２５に対して切欠１２９３からさらに離れている。それでも切欠１２１１により、アンカー１２３１が受容体の中に噛み合っている間、保持部材１２９１を運ぶ側壁１２５７の一部が屈曲することができるが、側壁のこれらの部分は、それらの増加した長さのためにより強力である。本体１２２１は、リング部材１２２５を本体１２２１に対して所望の軸方向位置に保持するために、アンカー１２３１の端部に隣接して配置された受容体内の停止部１２６９、およびリング部材に対して側壁１２５７内に形成された切欠１２９３を含む。
【００７１】
リング部材１１２５は本体１１２１から分離して形成されるので、複数の機構１１０５は、輸送費を削減するために、解体された状態で輸送し、複数の機構が輸送された後で組み立てられることができる。たとえば、いくつかの本体１１２１を１つの容器で輸送することができる一方で、同じ輸送で、または異なる輸送で別の容器が複数のリング部材１１２５を有する。別法として、本体１１２１およびリング部材１１２５を、同じ容器で一緒に輸送することができる（たとえば、本体をビニール袋または他のサブ容器で、またリング部材を別のビニール袋または他のサブ容器で）。解体されたリング機構１１０５は、リング機構が組み立てられた状態でそれらを輸送するために必要とされるより、はるかに小さい容積の空間を占め、これにより著しいコストの節約をもたらすことができる。
【００７２】
リング部材１１２５を本体１１２１から分離して作る別の利点は、リング１１２３を、本体１１２１と異なる色を有する材料で容易に作ることができることである。さらに、特定の機構１１０５上の一部のリング部材１１２５を、同じ機構上で他のリング部材と異なる色を有する材料から容易に作ることができる。
【００７３】
また、機構１１０５のリング部材１１２５の品質は、本体１１２１より機構１１０５の性能全体にはるかに大きい影響を及ぼす。したがって、リング機構１１０５の性能は、本体１１２１の性能基準が（たとえば、高額でないかつ／またはポリプロピレンなどのより容易にリサイクル可能な材料を使用して本体を作ることが可能である）リング部材に対する性能に比較して低減される場合は、あまり低減されない。
【００７４】
さらに、同じ本体１１２１を、異なる直径のリング１１２３を作るように構成されたリング部材１１２５と一緒に使用することができる。たとえば、リング機構を製造する方法の一実施形態では、複数の本体１１２１は、射出成形機の同じ鋳型、または１つもしくは複数の射出成形機の複数の同一の鋳型で生成される。１つまたは複数の本体１１２１は、第１の構成を有するリング部材１１２５と共に組み立てられる。１つまたは複数の他の本体１１２１は、第１の構成と異なる第２の構成（たとえば、より直径が大きい円形リングとＤリングなど）を有するリング部材１１２５と共に組み立てられる。本体１１２１を異なる型のリング機構１１２５と交換可能に使用できることにより、本体に対して単一の鋳型および／または単一の鋳型設計のみを使用して、異なる型のリング機構を製造することが可能になる。これにより、複数の異なる型のリング機構を作るために、鋳型を設計および生成するコストが削減される。
【００７５】
図６４〜７３に示された実施形態で各リングを形成する各リング部材は別個に形成されるが、各リングに対する１つのリング部材は、本発明の範囲内で本体と一体化して形成できることが理解される。たとえば、各リングに対する１つのリング部材は、適切には、本体と一体形成され、本体に固定された直立形セグメントであることができる一方で、他方のリング部材は、本体から分離して形成され、図６４〜７３に示された実施形態に対して、上述のように本体のなかに噛み合っている。
【００７６】
その好ましい実施形態の本発明の要素を導入する際、冠詞「ａ」、「ａｎ」、「ｔｈｅ」、および「ｓａｉｄ」は、１つまたは複数の要素が存在することを意味するものである。用語「含む（ｃｏｍｏｐｒｉｓｉｎｇ）」、「含む（ｉｎｃｌｕｄｉｎｇ）」、および「有する（ｈａｖｉｎｇ）」は、包括的であり、一覧にされた要素以外の追加の要素が存在してよいことを意味するものである。
【００７７】
前述を鑑み、本発明のいくつかの目的が達成され、他の利点が実現されることが理解されよう。
【００７８】
様々な変更が、本発明の範囲から逸脱することなく、上の構築をなすことが可能であるので、上の説明に含まれ、添付図面に示されたすべてのことが、例示として解釈され、限定的な解釈をされるべきではないことが意図される。
【図１】
2013528129.tif 000003
【図１Ａ】
2013528129.tif 000004
【図２】
2013528129.tif 000005
【図３】
2013528129.tif 000006
【図４】
2013528129.tif 000007
【図５】
2013528129.tif 000008
【図５Ａ】
2013528129.tif 000009
【図５Ｂ】
2013528129.tif 000010
【図６】
2013528129.tif 000011
【図６Ａ】
2013528129.tif 000012
【図７】
2013528129.tif 000013
【図８】
2013528129.tif 000014
【図９Ａ】
2013528129.tif 000015
【図９Ｂ】
2013528129.tif 000016
【図９Ｃ】
2013528129.tif 000017
【図９Ｄ】
2013528129.tif 000018
【図１０】
2013528129.tif 000019
【図１１】
2013528129.tif 000020
【図１２】
2013528129.tif 000021
【図１３】
2013528129.tif 000022
【図１４】
2013528129.tif 000023
【図１５】
2013528129.tif 000024
【図１６】
2013528129.tif 000025
【図１７】
2013528129.tif 000026
【図１８】
2013528129.tif 000027
【図１９】
2013528129.tif 000028
【図２０】
2013528129.tif 000029
【図２１】
2013528129.tif 000030
【図２２】
2013528129.tif 000031
【図２３】
2013528129.tif 000032
【図２４】
2013528129.tif 000033
【図２５】
2013528129.tif 000034
【図２６】
2013528129.tif 000035
【図２７】
2013528129.tif 000036
【図２８】
2013528129.tif 000037
【図２９】
2013528129.tif 000038
【図３０】
2013528129.tif 000039
【図３１】
2013528129.tif 000040
【図３２】
2013528129.tif 000041
【図３３】
2013528129.tif 000042
【図３４】
2013528129.tif 000043
【図３５】
2013528129.tif 000044
【図３６】
2013528129.tif 000045
【図３７】
2013528129.tif 000046
【図３８】
2013528129.tif 000047
【図３９】
2013528129.tif 000048
【図４０】
2013528129.tif 000049
【図４１】
2013528129.tif 000050
【図４２】
2013528129.tif 000051
【図４３Ａ】
2013528129.tif 000052
【図４３Ｂ】
2013528129.tif 000053
【図４３Ｃ】
2013528129.tif 000054
【図４４】
2013528129.tif 000055
【図４５】
2013528129.tif 000056
【図４６Ａ】
2013528129.tif 000057
【図４６Ｂ】
2013528129.tif 000058
【図４７】
2013528129.tif 000059
【図４８】
2013528129.tif 000060
【図４９Ａ】
2013528129.tif 000061
【図４９Ｂ】
2013528129.tif 000062
【図５０】
2013528129.tif 000063
【図５１】
2013528129.tif 000064
【図５２Ａ】
2013528129.tif 000065
【図５２Ｂ】
2013528129.tif 000066
【図５３】
2013528129.tif 000067
【図５４】
2013528129.tif 000068
【図５５】
2013528129.tif 000069
【図５６】
2013528129.tif 000070
【図５７】
2013528129.tif 000071
【図５８】
2013528129.tif 000072
【図５９】
2013528129.tif 000073
【図６０】
2013528129.tif 000074
【図６１】
2013528129.tif 000075
【図６２】
2013528129.tif 000076
【図６３】
2013528129.tif 000077
【図６４】
2013528129.tif 000078
【図６５】
2013528129.tif 000079
【図６６】
2013528129.tif 000080
【図６７】
2013528129.tif 000081
【図６８】
2013528129.tif 000082
【図６９】
2013528129.tif 000083
【図７０】
2013528129.tif 000084
【図７１】
2013528129.tif 000085
【図７２】
2013528129.tif 000086
【図７３】
2013528129.tif 000087
【国際調査報告】
2013528129.tif 000088
2013528129.tif 000089
2013528129.tif 000090
2013528129.tif 000091
2013528129.tif 000092